(57)【要約】  連続テレビドラマなどの互いに関連する複数のコンテンツの自媒体への記録を簡単に管理するために、少なくとも第１情報記録領域、第２情報記録領域及び第３情報記録領域を含んでおり、第１情報記録領域には、少なくとも連続ドラマ第１話が予め記録されており、第２情報記録領域は、連続ドラマ第２話以降を記録することが可能な情報記録領域であり、第３情報記録領域には、連続ドラマ第２話以降の記録予約情報が予め記録されている。
2009123289.tif 000002
【特許請求の範囲】
【請求項１】
複数の情報記録領域が割り当てられた、単層又は複数の、少なくとも情報を読み出すことが可能な記録層を有する情報記録媒体であって、
前記複数の情報記録領域は、少なくとも第１情報記録領域、第２情報記録領域及び第３情報記録領域を含んでおり、
前記第１情報記録領域には、少なくとも第１コンテンツが予め記録されており、
前記第２情報記録領域は、前記第１コンテンツに関連する関連コンテンツを記録することが可能な情報記録領域であり、
前記第３情報記録領域には、前記関連コンテンツの前記第２情報記録領域への記録を開始させるための記録開始情報が予め記録されていることを特徴とする情報記録媒体。
【請求項２】
前記記録開始情報は、前記第２情報記録領域に前記関連コンテンツを予約記録させるための予約情報であることを特徴とする請求項１に記載の情報記録媒体。
【請求項３】
前記記録開始情報は、前記第２情報記録領域に前記関連コンテンツをダウンロード記録させるためのダウンロード情報であることを特徴とする請求項１に記載の情報記録媒体。
【請求項４】
前記第３情報記録領域には、前記ダウンロード記録の実行を許可するダウンロード許可情報が予め記録されていることを特徴とする請求項３に記載の情報記録媒体。
【請求項５】
前記第３情報記録領域には、前記第１コンテンツ及び前記関連コンテンツの単位時間当たりの伝送データ量を示す伝送速度情報が予め記録されていることを特徴とする請求項１から４までのいずれか１項に記載の情報記録媒体。
【請求項６】
前記第１コンテンツ及び前記関連コンテンツは、複数の互いに関連するコンテンツであると共に、回を追って公表されるコンテンツ又は１回分ずつを逐次公表して完成するコンテンツであることを特徴とする請求項１から５までのいずれか１項に記載の情報記録媒体。
【請求項７】
基板上に、前記複数の記録層と、前記複数の記録層の各々を分離する中間層と、前記基板から最も遠い位置に設けられた透光層とを有し、
前記複数の記録層は、再生光によって情報を読み出すことが可能となっており、
前記複数の記録層のうち、少なくとも１層が情報を読み出すことのみ可能な層であり、その他の記録層のうち少なくとも１層が情報を記録可能な層であり、
前記第１情報記録領域及び前記第３情報記録領域は、前記情報を読み出すことのみ可能な層に割り当てられ、
前記第２情報記録領域は、前記情報を記録可能な層に割り当てられていることを特徴とする請求項１から６までのいずれか１項に記載の情報記録媒体。
【請求項８】
前記第２情報記録領域には、前記記録開始情報に対応する前記関連コンテンツの前記第２情報記録領域への記録の取り消しを決定するための無効化情報を記録することが可能な領域が設けられていることを特徴とする請求項１から７までのいずれか１項に記載の情報記録媒体。
【請求項９】
前記再生光が入射する側の表面と対向する側の表面に、前記第１コンテンツ及び前記関連コンテンツに関連する関連情報が予め表示されていることを特徴とする請求項７に記載の情報記録媒体。
【請求項１０】
前記関連情報は、前記対向する側の表面に貼り付けられた、剥離自在な貼り付け型ラベル上に表示されていることを特徴とする請求項９に記載の情報記録媒体。
【請求項１１】
前記対向する側の表面は、情報を直接書き込むことが可能な面となっていることを特徴とする請求項９に記載の記載の情報記録媒体。
【請求項１２】
請求項１から１１までのいずれか１項に記載の情報記録媒体の前記第３情報記録領域に記録されている前記記録開始情報に基づいて、前記関連コンテンツを当該情報記録媒体の第２情報記録領域に記録することを特徴とする情報記録再生装置。
【請求項１３】
請求項８に記載の情報記録媒体における前記第２情報記録領域に前記無効化情報が記録されている場合に、当該無効化情報に対応する前記記録開始情報が無効であると判断し、当該記録開始情報に対応する前記関連コンテンツの前記第２情報記録領域への記録を取り消すことを特徴とする情報記録再生装置。
【請求項１４】
前記関連コンテンツの前記第２情報記録領域への記録を取り消す指示を入力するための入力手段を備えており、
前記入力手段を介して前記記録を取り消す指示が入力された場合に、前記第２情報記録領域に、前記無効化情報を記録することを特徴とする請求項１３に記載の情報記録再生装置。
【請求項１５】
前記情報記録媒体が複数存在する場合に、
前記情報記録媒体の前記第３情報記録領域に記録された前記記録開始情報及び、当該記録開始情報と当該情報記録媒体との対応関係を示す対応関係情報を記録する記録部を備えており、
前記情報記録媒体の前記第２情報記録領域に前記無効化情報が記録されている場合に、前記対応関係情報に基づいて、当該情報記録媒体に対応する前記記録開始情報を、前記記録部から消去することを特徴とする請求項１３に記載の情報記録再生装置。
【請求項１６】
複数の情報記録領域が割り当てられた、単層又は複数の、少なくとも情報を読み出すことが可能な記録層を備えており、前記複数の情報記録領域は、少なくとも第１情報記録領域、第２情報記録領域及び第３情報記録領域を含んでおり、前記第１情報記録領域には、少なくとも第１コンテンツが予め記録されており、前記第２情報記録領域は、前記第１コンテンツに関連する関連コンテンツを記録することが可能な情報記録領域であり、前記第３情報記録領域には、前記関連コンテンツの前記第２情報記録領域への記録を開始させるための記録開始情報が予め記録されている情報記録媒体が装填された情報記録再生装置の制御方法であって、
前記第３情報記録領域に記録されている前記記録開始情報に基づいて、前記関連コンテンツを当該情報記録媒体の第２情報記録領域に記録することを特徴とする情報記録再生装置の制御方法。
【請求項１７】
複数の情報記録領域が割り当てられた、単層又は複数の、少なくとも情報を読み出すことが可能な記録層を備えており、前記複数の情報記録領域は、少なくとも第１情報記録領域、第２情報記録領域及び第３情報記録領域を含んでおり、前記第１情報記録領域には、少なくとも第１コンテンツが予め記録されており、前記第２情報記録領域は、前記第１コンテンツに関連する関連コンテンツを記録することが可能な情報記録領域であり、前記第３情報記録領域には、前記関連コンテンツの前記第２情報記録領域への記録を開始させるための記録開始情報が予め記録されている情報記録媒体が装填される情報記録再生装置における処理をコンピュータに実行させるための情報記録プログラムであって、
前記第３情報記録領域に記録されている前記記録開始情報に基づいて、前記関連コンテンツを当該情報記録媒体の第２情報記録領域に記録する処理をコンピュータに実行させるための情報記録プログラム。
【請求項１８】
請求項１７に記載の情報記録プログラムを記録したコンピュータ読み取り可能な記録媒体。
【発明の詳細な説明】
【技術分野】
【０００１】
本発明は、連続テレビドラマ等の映像及び／又は音声データを記録するための情報記録媒体、情報記録再生装置、情報記録再生装置の制御方法、情報記録プログラム、及び当該情報記録プログラムを記録したコンピュータ読み取り可能な記録媒体に関するものである。
【背景技術】
【０００２】
近年、光ディスク等の光情報記録媒体の記録容量が増大し、例えば、一枚のＤＶＤ−ＲＯＭ（Digital Versatile Disc - Read Only Memory）で、約２００分程度の映像及び／又は音声データを記録できるようになってきている。【０００３】
このため、一話完結型の映画のみならず、数話の連続テレビドラマ等のシリーズものが記録された光ディスクも市販されるに至っている。【０００４】
また、最近、長編の連続テレビドラマ等のシリーズものを数枚のＤＶＤ−ＲＯＭに記録したものを一セットとして第１話から最終話までを収録したいわゆるＤＶＤ−ＢＯＸなどが市販されるに至っている。【０００５】
今後は、Ｂｌｕ−ｒａｙ  Ｄｉｓｃ（登録商標）などの登場に伴い、光ディスクの記録容量が益々増大し、一枚の光ディスクに何十時間にも及ぶ映像及び／又は音声データの記録が可能となるものと考えられる。【０００６】
このような状況下では、長編の連続テレビドラマの第１話から最終話までを１枚の光ディスクに記録したものが市販されることも充分考えられる。【０００７】
また、従来からユーザの好みにより、一枚の光ディスクに数曲の楽曲を録音し、ユーザの好みに応じたオリジナルのアルバムを作成することも良く行なわれてきた。しかしながら、今後は、楽曲のみならず、複数の映画や、連続テレビドラマなどのいわゆるシリーズものの映像及び音声データなどをユーザの好みにより一枚の光ディスクにて編集したり、一枚の光ディスクを使用して、数十回にも及ぶ録画予約等を行ったりすることが可能となってくるものと考えられる。【０００８】
特許文献１には、所定期間に放送される放送番組の予約情報が記録された情報記録媒体の一例が記載されている。【０００９】
前記情報記録媒体は、いわゆるリードインエリアのコントロール領域に所定の放送番組の予約情報を上書き記録が不可能な状態（ＲＯＭ）で予め記録しておくことにより、当該情報記録媒体を情報記録再生装置に挿入するだけで、予約記録ができるようになっている。【００１０】
しかしながら、前記従来の特許文献１に開示された情報記録媒体では、下記のような問題点がある。【００１１】
特許文献１に開示された情報記録媒体では、コントロール領域に予め記録される放送番組の予約情報が、所定期間に放送される放送番組に対応している場合しか開示されていない。【００１２】
よって、例えば、ある放送番組の放送時間の変更などがあった場合に、その放送番組の記録が漏れてしまう可能性があるという問題点がある。【００１３】
また、予約情報は、毎日放送される番組の予約情報であっても良いなどと記載されているものの、一枚の情報記録媒体において複数の放送番組の予約記録を当該予約情報でどのように管理するのかについての具体的な内容は、一切開示されていない。【００１４】
また、前記特許文献１に開示された情報記録媒体では、例えば、連続テレビドラマ等のシリーズものの第１期（連続テレビドラマの初回から最終回まで）の予約情報と、第２期の予約情報とが別々の情報記録媒体に記録されているような場合、第１期と第２期を充分記録することが可能な程度の記録容量が情報記録媒体にあったとしても、２枚の情報記録媒体に分けて記録しなければならないという問題点がある。
【先行技術文献】
【特許文献】
【００１５】
【特許文献１】日本国公開特許公報「特開２００２−３１９２４４号公報（２００２年１０月３１日公開）」
【非特許文献】
【００１６】
【非特許文献１】金原粲・藤原英夫共著  「応用物理学選書３．薄膜」  株式会社裳華房  昭和５４年６月２０日発行  ｐ．１９８
【発明の概要】
【００１７】
本発明は、前記従来の問題点に鑑みなされたものであって、連続テレビドラマなどの互いに関連する複数のコンテンツの自媒体への記録を簡単に管理することができる情報記録媒体、情報記録再生装置、情報記録再生装置の制御方法、情報記録プログラム、及びコンピュータ読み取り可能な記録媒体を提供することを目的とする。
【００１８】
本発明の情報記録媒体は、前記課題を解決するために、複数の情報記録領域が割り当てられた、単層又は複数の、少なくとも情報を読み出すことが可能な記録層を有する情報記録媒体であって、前記複数の情報記録領域は、少なくとも第１情報記録領域、第２情報記録領域及び第３情報記録領域を含んでおり、前記第１情報記録領域には、少なくとも第１コンテンツが予め記録されており、前記第２情報記録領域は、前記第１コンテンツに関連する関連コンテンツを記録することが可能な情報記録領域であり、前記第３情報記録領域には、前記関連コンテンツの前記第２情報記録領域への記録を開始させるための記録開始情報が予め記録されていることを特徴としている。
【００１９】
前記構成によれば、本発明の情報記録媒体は、複数の情報記録領域が割り当てられた、単層又は複数の、少なくとも情報を読み出すことが可能な記録層を有する情報記録媒体である。よって、それぞれの記録層に情報が記録されていれば、当該情報を読み出すことができる。
【００２０】
また、複数の情報記録領域は、少なくとも第１情報記録領域、第２情報記録領域、及び第３情報記録領域を含んでいる。
【００２１】
なお、「少なくとも」とは、第１情報記録領域、第２情報記録領域、及び第３情報記録領域以外の情報記録領域も存在していても良いことを示すものである。
【００２２】
なお、第１情報記録領域、第２情報記録領域、及び第３情報記録領域の割り当てについては、単層の記録層を有する情報記録媒体の場合には、すべての情報記録領域が、単層の記録層に割り当てられていることになる。
【００２３】
また、複数の記録層を有する情報記録媒体の場合には、第１情報記録領域、第２情報記録領域、及び第３情報記録領域の３つの情報記録領域が、それぞれ異なる記録層に割り当てられる場合、２つの情報記録層が単一の記録層、残りの１つの情報記録領域が他の記録層に割り当てられる場合が考えられる。
【００２４】
また、第１情報記録領域には、少なくとも第１コンテンツが予め記録されている。
【００２５】
なお、「少なくとも」とは、第１コンテンツに加えて、第１コンテンツ以外の情報が記録されていることもあり得ることを示すものである。
【００２６】
また、「第１コンテンツ」は、例えば、連続テレビドラマを例にとれば、第１話のみであっても良いし、第１話及び第２話のように、少なくとも最終話を除く数話であっても良い。
【００２７】
また、第２情報記録領域は、前記第１コンテンツに関連する関連コンテンツを記録することが可能となっている。
【００２８】
「関連コンテンツ」は、連続テレビドラマを例にとれば、最終話のみであっても良いし、第３話から最終話までの数話であっても良い。
【００２９】
但し、「第１コンテンツ」及び「関連コンテンツ」を合せると、連続テレビドラマの第１話から最終話までが揃っていることが好ましい。
【００３０】
ここで、「第１コンテンツ」及び「関連コンテンツ」などの「コンテンツ」の例としては、画像、動画、音楽、音声データ、メール等のテキストデータ、ＷＥＢページに掲載されているデータ、並びに、ワンセグ、３セグ、及び地デジなどの放送コンテンツなど、ソフトウェアの処理対象となるさまざまな情報を含む概念である。
【００３１】
さらに、第３情報記録領域には、前記関連コンテンツの前記第２情報記録領域への記録を開始させるための記録開始情報が予め記録されている。
【００３２】
ところで、上述した特許文献１に記載の情報記録媒体は、予約情報（記録開始情報）に対応する放送番組（コンテンツ）の放送が開始された後は、当該放送番組を記録することができなくなってしまうという問題点がある。さらに、特許文献１に記載の情報記録媒体は、予約情報による情報記録媒体への予約記録の取り消し方法などについては、何も考慮されていないため、当該予約情報の予約記録に使用される情報記録領域を他のコンテンツの記録に転用できない構成となっている。よって、例えば、当該予約情報に対応するすべての回の放送番組の放送後には、当該予約情報のみが記録された不要な情報記録媒体が残ってしまう可能性がある。
【００３３】
この点、本発明の情報記録媒体では、例えば、第１話から始まり、第１２話で完結する連続テレビドラマを例にとって説明すると、例えば、第１話が第１コンテンツである場合、第２話以降が未だ放送されていない間は、当該第２話以降の記録開始情報は有効なので、第１話から第１２話までのすべての回の記録が可能である。これにより、連続テレビドラマ等のシリーズもののすべての回の収録などが簡単に行えることになる。
【００３４】
また、最後の第１２話が未だ放送されていない間は、少なくとも最後の第１２話の記録開始情報は、有効なので、少なくとも第１２話の記録が可能である。なお、第１話から第１２話までのすべての回が放送された後でも、少なくとも第１コンテンツである第１話は情報記録媒体に予め記録されているので、特許文献１の情報記録媒体のように予約情報のみが記録された不要な情報記録媒体のみが残ってしまうことはない。
【００３５】
また、本発明の情報記録再生装置の制御方法は、複数の情報記録領域が割り当てられた、単層又は複数の、少なくとも情報を読み出すことが可能な記録層を備えており、前記複数の情報記録領域は、少なくとも第１情報記録領域、第２情報記録領域及び第３情報記録領域を含んでおり、前記第１情報記録領域には、少なくとも第１コンテンツが予め記録されており、前記第２情報記録領域は、前記第１コンテンツに関連する関連コンテンツを記録することが可能な情報記録領域であり、前記第３情報記録領域には、前記関連コンテンツの前記第２情報記録領域への記録を開始させるための記録開始情報が予め記録されている情報記録媒体が装填された情報記録再生装置の制御方法であって、前記第３情報記録領域に記録されている前記記録開始情報に基づいて、前記関連コンテンツを当該情報記録媒体の第２情報記録領域に記録することを特徴としている。
【００３６】
前記構成によれば、上述した第１話から始まり、第１２話で完結する連続テレビドラマの例において、第２話の放送開始前に本発明の情報記録媒体を、当該情報記録媒体に対応した上記構成の情報記録再生装置に装填しておくだけで、自動的に第１話から第１２話までが収録された情報記録媒体を作成することが可能となる。
【００３７】
また、本発明の情報記録プログラムは、複数の情報記録領域が割り当てられた、単層又は複数の、少なくとも情報を読み出すことが可能な記録層を備えており、前記複数の情報記録領域は、少なくとも第１情報記録領域、第２情報記録領域及び第３情報記録領域を含んでおり、前記第１情報記録領域には、少なくとも第１コンテンツが予め記録されており、前記第２情報記録領域は、前記第１コンテンツに関連する関連コンテンツを記録することが可能な情報記録領域であり、前記第３情報記録領域には、前記関連コンテンツの前記第２情報記録領域への記録を開始させるための記録開始情報が予め記録されている情報記録媒体が装填される情報記録再生装置における処理をコンピュータに実行させるための情報記録プログラムである。
【００３８】
以上より、連続テレビドラマなどの互いに関連する複数のコンテンツの記録を簡単に管理することができる情報記録媒体などを提供することができる。
【００３９】
本発明の他の目的、特徴、および優れた点は、以下に示す記載によって十分分かるであろう。また、本発明の利点は、添付図面を参照した次の説明で明白になるであろう。
【図面の簡単な説明】
【００４０】
【図１】本発明の情報記録媒体の一実施形態の構成を概念的に示す図である。
【図２】本発明の情報記録媒体の他の実施形態の構成を概念的に示す図である。
【図３】本発明の情報記録媒体の一実施形態である光情報記録媒体の概略構成の一例を示す斜視図である。
【図４】上記光情報記録媒体の概略構成の一例を示す断面図である。
【図５】上記光情報記録媒体の概略構成の別の一例を示す断面図である。
【図６】図３・図４に示す光情報記録媒体の概略構成の比較例を示す断面図である。
【図７】再生レーザパワー０．７ｍＷにおける、図３・図４に示す実施例１と図４に示す比較例１とのＳ字特性測定結果を示す図であり、（ａ）部分は、実施例１に対する測定によって得られたＳ字特性を示し、（ｂ）部分は、比較例１に対する測定によって得られたＳ字特性を示し、（ｃ）部分は、再生レーザパワー１．０ｍＷにおける、図３・図４に示す実施例１のＳ字特性測定結果を示す。
【図８】再生レーザパワーと所定の物理量との関係を示す図であり、（ａ）部分は、フォーカスできない反射率の上限値の再生レーザパワー依存を示し、（ｂ）部分は、２層（ＲＥ）構造の光情報記録媒体におけるジッタの再生レーザパワー依存を示す。
【図９】従来の多層光情報記録媒体を再生する再生システムの一例を示す説明図である。
【図１０】従来の多層光情報記録媒体であり、４層構造の光情報記録媒体を示す断面図である。
【図１１】図９に示す再生システムによって図１０に示す第２情報記録層にフォーカスサーチ処理が行われたときのフォーカスエラー信号のＳ字特性と、対物レンズ位置の遷移との関係を説明するための図であり、（ａ）部分は、前記再生システムにおけるＳ字特性を示し、（ｂ）部分は、対物レンズ位置の遷移を示し、（ｃ）部分は、フォーカスエラー信号を示す。
【図１２】図１１に示す再生システムにおける処理の流れを示すフローチャートである。
【図１３】本発明のさらに他の実施形態である情報記録再生装置の一例を示す説明図である。
【図１４】本発明のさらに他の実施形態である情報記録再生装置の一例を示す説明図である。
【図１５】上記情報記録再生装置の制御部の一構成例を示すブロック図である。
【図１６】上記情報記録再生装置の制御部の他の構成例を示すブロック図である。
【図１７】上記情報記録再生装置における処理の流れを示すフローチャートである。
【発明を実施するための形態】
【００４１】
本発明の一実施形態について図１〜図１７に基づいて説明すれば、以下の通りである。
【００４２】
〔１．情報記録媒体の概念的構成〕
本発明では、情報記録媒体の所定の情報記録領域に予め記録されるデータや、将来記録される予定のデータなどが重要なポイントとなる。
【００４３】
そこで、まず、図１及び図２に基づき、本発明の一実施形態である情報記録媒体の概念的な構成について説明し、その後の図３以降で本発明の情報記録媒体の一実施形態を示して説明する。なお、本発明の情報記録媒体が、本実施形態で説明する情報記録媒体の構造に限られないことは言うまでも無い。
【００４４】
図１は、本発明の情報記録媒体の一実施形態の構成を概念的に示す図である。また、図２は、本発明の情報記録媒体の他の実施形態の構成を概念的に示す図である。
【００４５】
図１及び図２には示していないが、本実施形態の情報記録媒体は、複数の情報記録領域が割り当てられた、単層又は複数の、少なくとも情報を読み出すことが可能な記録層を有する（例えば、図３参照）。よって、それぞれの記録層に情報が記録されていれば、当該情報を読み出すことができる。
【００４６】
なお、第１情報記録領域、第２情報記録領域、及び第３情報記録領域の割り当てについては、単層の記録層を有する情報記録媒体の場合には、すべての情報記録領域が、単層の記録層に割り当てられていることになる。
【００４７】
また、複数の記録層を有する情報記録媒体の場合には、第１情報記録領域、第２情報記録領域、及び第３情報記録領域の３つの情報記録領域が、それぞれ異なる記録層に割り当てられる場合、２つの情報記録層が単一の記録層、残りの１つの情報記録領域が他の記録層に割り当てられる場合が考えられる。
【００４８】
よって、複数の情報記録領域が存在することになる。
【００４９】
さらに、図１及び図２に示すように複数の情報記録領域は、少なくとも第１情報記録領域、第２情報記録領域、及び第３情報記録領域を含んでいる。
【００５０】
なお、図１及び図２の左の項目「記録領域」の上下の列は、第１情報記録領域〜第３情報記録領域に情報記録領域を分類したものであり、真ん中の項目「記録情報」の上下の列は、現時点で各情報記録領域に記録されているデータがあるか否かを示している。
【００５１】
また、右の項目の「ステータス」の上下の列は、第１情報記録領域〜第３情報記録領域の状態を示しており、例えば、既に何らかのデータが記録されている場合には「記録済み」と記載し、これから何らかのデータが記録される予定である場合には、どのようなデータの記録が可能となっているのかについて示している。
【００５２】
図１に示すように、本実施形態の情報記録媒体の第１情報記録領域には、連続テレビドラマの第１話（第１コンテンツ）が予め記録されている。
【００５３】
なお、ここでは、第１情報記録領域に第１話のみが記録されている例について説明するが、連続テレビドラマの最初の数話が予め記録されていても良い。
【００５４】
ここで、「コンテンツ」には、画像、動画、音楽、音声データ、メール等のテキストデータ、ＷＥＢページに掲載されているデータ、並びに、ワンセグ、３セグ、及び地デジなどの放送コンテンツなど、ソフトウェアの処理対象となるさまざまな情報を含む概念である。
【００５５】
また、本実施形態では、互いに関連するコンテンツの例として連続テレビドラマを例にして説明しているが、連続テレビドラマは、１回分ずつを逐次公表して完成するコンテンツである点で、各話が互いに関連するコンテンツに該当する。
【００５６】
その他、互いに関連するコンテンツの例としては、回を追って公表されるコンテンツが考えられる。例えば、数年間ほぼ毎日継続している人気テレビ放送番組などが該当する。
【００５７】
次ぎに、第２情報記録領域は、図１及び図２の「ステータス」の項目に示すように、「コンテンツ記録領域」と、「無効化情報記録領域」とで構成される。第２情報記録領域の「コンテンツ記録領域」は、連続テレビドラマの第２話以降（関連コンテンツ）を記録またはダウンロードすることが可能となっている。なお、「無効化情報領域」については、後で説明する。
【００５８】
さらに、第３情報記録領域には、図１及び図２の「記録情報」の項目に示すように、連続テレビドラマの第２話以降の第２情報記録領域への記録を開始させるための予約情報（記録開始情報）またはダウンロード情報（記録開始情報）が予め記録されている。
【００５９】
ここでは、図示していないが、予約情報の例としては、例えば、コンテンツが所定の期間に放送される放送番組である場合について説明すると、番組名、放送チャンネル、放送日、放送開始時間、放送終了時間などの各種情報が予約情報に該当する。
【００６０】
また、ダウンロード情報の例としては、例えば、コンテンツのデータ形式などを含むコンテンツに関するプロトコル、コンテンツの所在を示すＵＲＬ（Uniform Resource Locator）などの各種情報がダウンロード情報に該当する。
【００６１】
なお、「コンテンツに関するプロトコル」とは、再生方法、データ形式、データ圧縮方式及び通信プロトコルなどのコンテンツに関する規約のことである。例えば、再生方法の規約としては、ビットレート情報の規格などが例示できる。
【００６２】
また、コンテンツのデータ形式及びデータ圧縮方式の規約としては、音楽に関するＡＡＣ（Advanced Audio Coding）、ＷＡＶ（Ｗｉｎｄｏｗｓ＜登録商標＞の音声データの標準的なファイル形式。ＷＡＶＥファイルやＷＡＶＥサウンドファイルとも呼ばれる。）、及びＭＰ３（MPEG-1 Audio Layer 3）などが例示できる。
【００６３】
また、その他、コンテンツのデータ形式及びデータ圧縮方式の規約としては、映像に関するＦｌａｓｈ（マクロメディアが販売しているＷｅｂ用のアニメーション作成ソフト）、ＭＰＥＧ４（MPEG-1 Audio Layer 4）、及びＭＰＥＧ２（ＩＴＵ−Ｔ「国際電気通信連合電気通信標準化部門」とＩＳＯ「国際標準規格」によって標準技術として勧告された、動画や音声を圧縮・伸張する規格。現在ＭＰＥＧ方式には、ビデオＣＤなどのメディアに使用されるＭＰＥＧ１、ＤＶＤや放送メディアに使用されるＭＰＥＧ２、ネットワーク配信、携帯端末向けのＭＰＥＧ４などがある。）などが例示できる。
【００６４】
さらに、通信方式に関する規約（通信プロトコル）としては、Ｂｌｕｅｔｏｏｔｈ（登録商標）、Ｆｅｌｉｃａ、ＰＬＣ（power line communication）、ＷｉｒｅｌｅｓｓＬＡＮ（無線ＬＡＮ：ＷＬＡＮ）、ＩｒＤＡ（赤外線無線）、ＩｒＳＳ（赤外線無線）、及びＷＣＤＭＡ（通信網）などが例示できる。
【００６５】
なお、互いに関連するコンテンツのその他の例としては、１作目の映画及び当該１作目が好評を博した場合に作成される２作目の映画、毎日、毎週、毎月、若しくは毎年定期的に公表されるコンテンツ、一のアーティストのシングル及びアルバム類、文書データではあるが夏目漱石全集、１作目のアプリケーションソフト及び当該１作目が好評を博した場合に作成される２作目のアプリケーションソフト、並びに、特定の人同士がやりとりするメール及びチャットなどが例示できる。
【００６６】
一方、後に詳しく説明するが、本発明の他の実施形態である情報記録再生装置は、第３情報記録領域に記録されている予約情報またはダウンロード情報に基づいて、連続テレビドラマの第２話以降を上記情報記録媒体の第２情報記録領域に記録することが好ましい。
【００６７】
上記情報記録媒体及び情報記録再生装置によれば、例えば、第２話以降が未だ放送されていない間は、当該第２話以降の予約情報は有効なので、第１話から第１２話までのすべての回の記録が可能である。これにより、連続テレビドラマ等のシリーズもののすべての回の収録などが簡単に行えることになる。
【００６８】
また、最後の第１２話が未だ放送されていない間は、少なくとも最後の第１２話の予約情報は、有効なので、少なくとも第１２話の記録が可能である。なお、第１話から第１２話までのすべての回が放送された後でも、少なくとも第１コンテンツである第１話は情報記録媒体に予め記録されているので、予約情報のみが記録された不要な情報記録媒体のみが残ってしまうことはない。
【００６９】
さらに、情報記録媒体の製造時に第２話以降の連続テレビドラマの予約情報を記録しておけば、ユーザが何らかの手段で第２話以降の連続テレビドラマの予約情報を情報記録媒体に記録する必要が無い。
【００７０】
また、連続テレビドラマ等の予約記録（又はダウンロード記録）が面倒であれば、第２話の放送開始前に上記情報記録媒体を、上記情報記録再生装置（以下、単に「情報記録再生装置」という）に装填しておくだけで、自動的に第１話から第１２話までが収録された情報記録媒体を作成することが可能となる。
【００７１】
なお、図１の「記録情報」の「第３情報記録領域」の欄に示すように、第３情報記録領域には、連続テレビドラマ第２話以降のビットレート情報（伝送速度情報）や、フレームレート情報（伝送速度情報）などが予め記録されていることが好ましい。
【００７２】
これにより、第２情報記録領域の記録容量の許容範囲内でより高品質の連続テレビドラマの記録が可能となる。
【００７３】
また、図１の「記録情報」の「第３情報記録領域」の欄に示すように、第３情報記録領域には、ダウンロード記録の実行を許可するダウンロード許可キー（ダウンロード許可情報）が予め記録されていることが好ましい。
【００７４】
これにより、ダウンロード許可キー（暗号鍵）を知らないユーザの操作による連続テレビドラマのダウンロードを防止できるので、セキュリティー対策となる。
【００７５】
なお、ダウンロード許可キーの他、連続テレビドラマの使用許諾契約に関する情報などが予め記録されていても良い。
【００７６】
以上より、連続テレビドラマなどの互いに関連する複数のコンテンツの予約記録やダウンロードを簡単に管理することができる情報記録媒体を提供することができる。
【００７７】
〔２．情報記録媒体及び情報記録再生装置に関する基本事項〕
ここで、図３〜図１２に基づき、本発明の情報記録媒体の一実施形態である光情報記録媒体（情報記録媒体）２００及び光情報記録媒体（情報記録媒体）２０１や、光情報記録媒体２００及び光情報記録媒体２０１に対応した再生システム（情報記録再生装置）１００に関する基本事項について説明する。
【００７８】
まず、本発明の情報記録媒体の一実施形態であるこれらの記録媒体の具体的な構造について説明する。
【００７９】
近年、多層光情報記録媒体においては、情報の書き換え可能な記録層以外に、様々なコンテンツが記録されている記録層で、かつ再生のみ可能な再生専用の記録層又は追記録可能な記録層を追加して記録容量を向上させた光情報記録媒体（以降、ハイブリッド光情報記録媒体）が求められている。なお、以降、上記書き換え可能な記録層をＲＥ（RE-writable）層と呼び、上記再生専用の情報記録層をＲＯＭ（Read Only Memory）層と呼び、上記追記録可能な記録層は、以降Ｒ（Recordable）層と呼ぶ。
【００８０】
以下で説明する光情報記録媒体２００及び光情報記録媒体２０１は、いずれも、いわゆるハイブリッド光情報記録媒体であり、基板上に、複数の記録層と、複数の記録層の各々を分離する中間層と、基板から最も遠い位置に設けられた透光層とを有し、複数の記録層は、再生光によって情報を読み出すことが可能となっており、当該複数の記録層のうち、少なくとも１層の記録層が情報の読みだすことのみ可能な層（再生専用の記録層：以下、「ＲＯＭ層」という）であり、その他の記録層のうち少なくとも１層が、情報を記録可能な層であるという構造を基本としている。
【００８１】
ここで、「情報を記録可能な層」には、追記録のみ可能な層（追記録可能な層：以下、「Ｒ層」）と書き換え可能な層（以下、「ＲＥ層」という）とが含まれる。
【００８２】
なお、ここで、追記録のみ可能とは、情報読み出しは可能であり、記録において、追記録のみ可能であることを指す。
【００８３】
より具体的には、図１・図２に示すように、本実施形態の光情報記録媒体２００は、再生光入射面側から順に、透光層１０、第１情報記録層（情報を読み出すことのみ可能な層、記録層）２０、中間層３０、第２情報記録層（情報が記録可能な層、記録層）４０及び基板５０が積層された構造となっている。
【００８４】
なお、図３は、光情報記録媒体２００の概略構成の一例を示す斜視図であり、図４は、光情報記録媒体２００の概略構成の一例を示す断面図である。
【００８５】
透光層１０は、例えば、厚さ７５μｍの紫外線硬化樹脂からなる。透光層１０の材料は、再生光の波長において透過率が高いものであれば良い。すなわち、透光層１０は、例えばポリカーボネートフィルムと透明粘着剤とで形成されていても良い。また、透光層１０の表面には、表面保護のためのハードコートが設けられていても良い。さらに、透光層１０の厚さは、光情報記録媒体２００の情報記録再生装置が有する光学系に応じて変更されても良い。具体的には、透光層１０は、例えば０．６ｍｍのポリカーボネ−ト基板であっても良い。
【００８６】
第１情報記録層２０は、ＲＯＭ層であり、例えば、成膜時の窒素流量により屈折率調整された厚さ１５ｎｍの窒化アルミからなる。第１情報記録層２０の厚さ及び材料は、これに限られるものではなく、例えば再生光波長における第１情報記録層２０の反射率の値が０．４％より大きく２．２％以下となるものであれば良い。
【００８７】
すなわち、第１情報記録層２０は、再生光波長において透光性を有しており、上記反射率の値は、第２情報記録層４０を再生するときの第２再生光ではフォーカス引き込みが不可能になる値であり、第１情報記録層２０を再生するときの第１再生光ではフォーカス引き込みが可能になる値であれば良い。
【００８８】
具体的には、第１情報記録層２０は、上記窒化アルミの他に、例えば窒化シリコン、又は、窒化アルミもしくは窒化シリコンを主成分とする誘電体からなっていても良く、多層構造であっても良い。
【００８９】
ここで、上記第２再生光は、第２情報記録層４０等のＲＥ層を再生するときに光情報記録媒体２００に照射されるものであり、例えば旧規格の光情報記録媒体に対応した情報記録再生装置でも照射できるものである。また、上記第１再生光は、第２再生光よりも強度が高く、第１情報記録層２０を再生するときに光情報記録媒体２００（又は後述の光情報記録媒体２０１）に照射されるものである。この第１再生光は、新規格の光情報記録媒体に対応した情報記録再生装置にて照射されるものである。
【００９０】
中間層３０は、例えば、厚さ２５μｍの透明紫外線硬化樹脂からなる。中間層３０の材料は、これに限られたものではなく、再生光の波長において透過率が高い材料であれば良い。また、中間層３０の厚さも、これに限られたものではなく、各記録層（ここでは、第１情報記録層２０及び第２情報記録層４０）を分離でき、層間クロストークが問題にならない適度の厚さであれば良い。
【００９１】
なお、層間クロストークとは、再生中の記録層以外の記録層からのノイズを指す。さらに、中間層３０は、多層構造であっても良い。また、中間層３０の、第１情報記録層２０側の面には、第１情報記録層２０に形状として記録される情報に応じた凹凸からなるプリピット（図示しない）が設けられている。
【００９２】
第２情報記録層４０は、ＲＥ層であり、図４に示すように、例えば７層の薄膜からなる。この７層の薄膜は、再生光入射側から、第１保護膜４１（例えば、厚さ３５ｎｍのＺｎＳ−ＳｉＯ２）、第２保護膜４２（例えば、厚さ５ｎｍのＺｒＯ）、記録層４３（例えば、厚さ１０ｎｍのＧｅＴｅ−Ｓｂ２Ｔｅ３）、第３保護膜４４（例えば、厚さ５ｎｍのＺｒＯ）、第４保護膜４５（例えば、厚さ３５ｎｍのＺｎＳ−ＳｉＯ２）、第５保護膜４６（例えば、厚さ５ｎｍのＺｒＯ）、及び反射膜４７（例えば、厚さ２０ｎｍのＡＰＣ（ＡｇＰｄＣｕ））が順に積層されてなる。
【００９３】
なお、第２情報記録層４０の材料、厚さ及び層数は、これに限られるものではなく、ＲＥ層として機能するものであれば良い。
【００９４】
基板５０は、例えば、厚さ１．１ｍｍのポリカーボネートからなる。基板５０の材料、大きさ及び厚さは、これに限られるものではなく、表面にグルーブが設けられており、上記かつ基板として使用できる程度の所定の強度があれば良い。具体的には、基板５０は、例えばポリオレフィン樹脂、金属等からなっていても良い。さらに、基板５０は、多層構造であっても良い。
【００９５】
なお、上記基板５０の表面には、グルーブの他に、第２情報記録層４０に形状として記録される情報に応じた凹凸からなるプリピットが設けられていても良い。この場合、第２情報記録層４０のプリピットが設けられた領域は、情報の読み出しのみ可能な領域となる。すなわち、第２情報記録層４０は、ＲＥ領域とＲＯＭ領域とを含む構成であっても良い。但し、本発明を適用する観点からは、このＲＯＭ領域の範囲はＲＥ領域と比較してできるだけ狭い方が好ましい。
【００９６】
また、図５に示すように、本実施形態の別の一例である光情報記録媒体２０１は、再生光入射面側から順に、透光層１０、第１情報記録層２０、中間層３０、第３情報記録層（情報が記録可能な層、記録層）６０、中間層３０、第２情報記録層４０及び基板５０が積層された構造となっている。なお、図５は、光情報記録媒体２０１の概略構成の一例を示す断面図である。
【００９７】
透光層１０は、例えば、厚さ５０μｍの紫外線硬化樹脂からなる。透光層１０の材料は、再生光の波長において透過率が高いものであれば良い。すなわち、透光層１０は、例えばポリカーボネートフィルムと透明粘着剤とで形成されていても良い。また、透光層１０の表面には、表面保護のためのハードコートが設けられていても良い。さらに、透光層１０の厚さは、光情報記録媒体２０１の情報記録再生装置が有する光学系に応じて変更されても良い。具体的には、透光層１０は、例えば０．６ｍｍのポリカーボネ−ト基板であっても良い。第１情報記録層２０は、ＲＯＭ層であり、例えば、成膜時の窒素流量により屈折率調整された厚さ１５ｎｍの窒化アルミからなる。
【００９８】
第１情報記録層２０の厚さ及び材料は、これに限られるものではなく、例えば再生光波長における第１情報記録層２０の反射率の値が０．４％より大きく２．２％以下となるものであれば良い。すなわち、第１情報記録層２０は、再生光波長において透光性を有しており、上記反射率の値は、第２情報記録層４０又は第３情報記録層６０を再生するときの第２再生光ではフォーカス引き込みが不可能になる値であり、第１情報記録層２０を再生するときの第１再生光ではフォーカス引き込みが可能になる値であれば良い。
【００９９】
具体的には、第１情報記録層２０は、上記窒化アルミの他に、例えば窒化シリコン、又は、窒化アルミもしくは窒化シリコンを主成分とする誘電体からなっていても良く、多層構造であっても良い。
【０１００】
中間層３０は、例えば、厚さ２５μｍの透明紫外線硬化樹脂からなる。中間層３０の材料は、これに限られたものではなく、再生光の波長において透過率が高い材料であれば良い。また、中間層３０の厚さも、これに限られたものではなく、各記録層（ここでは、第１情報記録層２０、第２情報記録層４０及び第３情報記録層６０）を分離でき、層間クロストークが問題にならない適度の厚さであれば良い。さらに、中間層３０は、多層構造であっても良い。
【０１０１】
また、第１情報記録層２０と第３情報記録層６０との間に積層されている中間層３０において、この中間層３０の、第１情報記録層２０側の面には、第１情報記録層２０に形状として記録される情報に応じた凹凸からなるプリピットが設けられている。
【０１０２】
なお、第２情報記録層４０と第３情報記録層６０との間に積層されている中間層３０において、この中間層３０の、第３情報記録層６０側の面には、グルーブが設けられている。なお、中間層３０には、グルーブと第３情報記録層６０に形状として記録される情報に応じた凹凸からなるプリピットとが設けられていても良い。この場合、第３情報記録層６０のプリピットが設けられた領域は、情報の読み出しのみ可能な領域となる。すなわち、第３情報記録層６０は、ＲＥ領域とＲＯＭ領域とを含む構成であっても良い。
【０１０３】
但し、本発明を適用する観点からは、このＲＯＭ領域の範囲はＲＥ領域と比較してできるだけ狭い方が好ましい。
【０１０４】
第２情報記録層４０は、ＲＥ層であり、例えば７層の薄膜からなる。この７層の薄膜は、再生光入射側から、第１保護膜４１（例えば、厚さ３５ｎｍのＺｎＳ−ＳｉＯ２）、第２保護膜４２（例えば、厚さ５ｎｍのＺｒＯ）、記録層４３（例えば、厚さ１０ｎｍのＧｅＴｅ−Ｓｂ２Ｔｅ３）、第３保護膜４４（例えば、厚さ５ｎｍのＺｒＯ）、第４保護膜４５（例えば、厚さ３５ｎｍのＺｎＳ−ＳｉＯ２）、第５保護膜４６（例えば、厚さ５ｎｍのＺｒＯ）、及び反射膜４７（例えば、厚さ２０ｎｍのＡＰＣ（ＡｇＰｄＣｕ））が順に積層されてなる。
【０１０５】
なお、第２情報記録層４０の材料、厚さ及び層数は、これに限られるものではなく、ＲＥ層として機能するものであれば良い。
【０１０６】
第３情報記録層６０は、ＲＥ層であり、例えば、６層の薄膜からなる。この６層の薄膜は、再生光入射側から、第１保護膜６１（例えば、厚さ３５ｎｍのＺｎＳ−ＳｉＯ２）、第２保護膜６２（例えば、厚さ５ｎｍのＺｒＯ）、記録層６３（例えば、厚さ６ｎｍのＧｅＴｅ−Ｓｂ２Ｔｅ３）、第３保護膜６４（例えば、厚さ５ｎｍのＺｒＯ）、半透明膜６５（例えば、厚さ２０ｎｍのＡＰＣ（ＡｇＰｄＣｕ））、及び透過率調整膜６６（例えば、厚さ１９ｎｍのＴｉＯ２）が順に積層されてなる。
【０１０７】
第３情報記録層６０の材料、厚さ及び層数は、これに限られるものではなく、再生光の波長において透過率６０％程度を有するＲＥ層として機能するものであれば良い。
【０１０８】
基板５０は、例えば、厚さ１．１ｍｍのポリカーボネートからなる。基板５０の材料、大きさ及び厚さは、これに限られるものではなく、表面にグルーブが設けられており、かつ基板として使用できる程度の所定の強度があれば良い。具体的には、基板５０は、例えばポリオレフィン樹脂、金属等からなっていても良い。さらに、基板５０は、多層構造であっても良い。
【０１０９】
なお、上記基板５０の表面には、グルーブの他に、第２情報記録層４０に形状として記録される情報に応じた凹凸からなるプリピットが設けられていても良い。この場合、第２情報記録層４０のプリピットが設けられた領域は、情報の読み出しのみ可能な領域となる。すなわち、第２情報記録層４０は、ＲＥ領域とＲＯＭ領域とを含む構成であっても良い。
【０１１０】
但し、本発明を適用する観点からは、このＲＯＭ領域の範囲はＲＥ領域と比較してできるだけ狭い方が好ましい。
【０１１１】
なお、光情報記録媒体２０１は、上述した構成に限られるものではなく、ＲＥ層のいずれかがＲ層であっても良い。
【０１１２】
また、光情報記録媒体２００及び光情報記録媒体２０１は、２層又は３層構造に限られたものではなく、さらに記録層を加えた光情報記録媒体であっても良い。
【０１１３】
また、光情報記録媒体２００（及び光情報記録媒体２０１）は、再生光波長をλ、第１情報記録層２０の厚さをｄ、透光層１０と第１情報記録層２０と中間層３０との屈折率を各々ｎ0、ｎ1、ｎとした場合、
【０１１４】
【数１】
2009123289.tif 000003
【０１１５】
が成り立つことが好ましい。なぜならば、再生光波長をλ、第１情報記録層２０の厚さをｄ、透光層１０と第１情報記録層２０と中間層３０の屈折率を各々ｎ0、ｎ1、ｎとした場合の第１情報記録層の再生光波長における反射率は、非特許文献１に記載されているように、上記式で表すことができるからである。
【０１１６】
上記式によれば、第１情報記録層２０の再生光波長における反射率を得るための構造が特定できる。
【０１１７】
また、光情報記録媒体２００（及び光情報記録媒体２０１）の第１情報記録層２０は、屈折率が１．７５より大きく２．０６以下である誘電体からなることが好ましい。
【０１１８】
通常、透光層１０及び中間層３０には共に屈折率１．５程度の樹脂が多く使われる。また、第１情報記録層２０の膜厚は、再生耐久性と膜厚増による成膜時間の増大に伴うコストアップとを考慮した場合、約１５ｎｍ程度が好適である。この実際の生産を考慮した場合に生じる上記２つの限定を考慮すると、上記非特許文献１に記載されている式から、第１情報記録層２０の屈折率は、１．７５より大きく２．０６以下と求められる。
【０１１９】
〔実施例〕
図４に示す光情報記録媒体２００を実施例１とし作製し、この実施例１の比較例１として、図６に示す光情報記録媒体２０２を作製した。以下に、各々の構造を図４及び図６を用いて説明する。なお、図６は、実施例１として作製された光情報記録媒体２００の比較例１である光情報記録媒体２０２の概略構成を示す断面図である。
【０１２０】
実施例１である光情報記録媒体２００は、図４に示すように、再生光入射面側から順に、透光層１０、第１情報記録層２０、中間層３０、第２情報記録層４０及び基板５０が積層された構造となっている。
【０１２１】
透光層１０は、厚さ７５μｍの紫外線硬化樹脂（再生光波長における屈折率１．５０）からなる。
【０１２２】
第１情報記録層２０は、ＲＯＭ層であり、成膜時の窒素流量により屈折率調整された厚さ１５ｎｍの窒化アルミ（再生光波長における屈折率２．０１）からなる。第１情報記録層２０を形成する窒化アルミは、スパッタ法により中間層３０の表面に成膜されている。
【０１２３】
中間層３０は、厚さ２５μｍの透明紫外線硬化樹脂（再生光波長における屈折率１．５０）からなる。また、この中間層３０の、第１情報記録層２０側の面には、２Ｐ法（photo polymerization法）により第１情報記録層２０に形状として記録される情報に応じた凹凸からなるプリピットが設けられている。
【０１２４】
ここで、２Ｐ法とは、平板と原盤との間に紫外線硬化樹脂を充填し、紫外線を照射して紫外線硬化樹脂を硬化させた後原盤を剥離することによって、平板上に原盤の凹凸を転写する手法を指す。
【０１２５】
第２情報記録層４０は、ＲＥ層であり、スパッタ法により７層の薄膜が積層されている。具体的には、再生光入射側から、第１保護膜４１（厚さ３５ｎｍのＺｎＳ−ＳｉＯ２）、第２保護膜４２（厚さ５ｎｍのＺｒＯ）、記録層４３（厚さ１０ｎｍのＧｅＴｅ−Ｓｂ２Ｔｅ３）、第３保護膜４４（厚さ５ｎｍのＺｒＯ）、第４保護膜４５（厚さ３５ｎｍのＺｎＳ−ＳｉＯ２）、第５保護膜４６（厚さ５ｎｍのＺｒＯ）、及び反射膜４７（厚さ２０ｎｍのＡＰＣ（ＡｇＰｄＣｕ））が順に積層されている。
【０１２６】
基板５０には、直径１２０ｍｍ、厚さ１．１ｍｍである、グルーブを有するポリカーボネートの円盤状基板を使用した。
【０１２７】
比較例１である光情報記録媒体２０２は、図６に示すように、再生光入射面側から順に、透光層１０、第１情報記録層１２０、中間層３０、第２情報記録層４０及び基板５０が積層された構造となっている。光情報記録媒体２０２の第１情報記録層１２０は、従来から使用されている金属半透明膜ＡＰＣ（ＡｇＰｄＣｕ）からなり、厚さ５ｎｍに成膜されたものである。その他の層（透光層１０、中間層３０、第２情報記録層４０及び基板５０）は、実施例１と同一に作製されている。
【０１２８】
なお、第１情報記録層２０及び第１情報記録層１２０の透過率は、実施例１の第１情報記録層２０では９５％、比較例１の第１情報記録層１２０では８０％であった。また、実施例１の第１情報記録層２０の再生光波長における反射率は１．８％であり、第２情報記録層４０の戻り光率は１３．５％であった。一方、比較例１の第１情報記録層１２０の再生光波長における反射率は８％であり、第２情報記録層４０の戻り光率は９．６％であった。
【０１２９】
次に、実施例１と比較例１との、再生初期における記録層数カウント時に検出されるＳ字特性を、ＢＤ（Ｂｌｕ−Ｒａｙ  Ｄｉｓｃ）用評価機として一般的に用いられる、波長４０６ｎｍのレーザ光を出射可能な半導体レーザとＮ．Ａ．（開口率）０．８５の光学系とを有するディスク評価機（パルステック社製  ＯＤＵ−１０００）にて測定した。この測定によって得られた結果を図７の（ａ）部分、（ｂ）部分、及び（ｃ）部分に示す。
【０１３０】
ここで、図７の（ａ）部分・（ｂ）部分は、それぞれレーザ強度を、ＲＥ層を再生するための強度であり、かつ現状の規格化されているＢＤ情報記録再生装置における最大再生レーザパワーである０．７ｍＷに設定して、光情報記録媒体２００、及び２０２にそれぞれ照射することによって得られたＳ字特性を示す図である。
【０１３１】
なお、図７の（ａ）部分は、実施例１である光情報記録媒体２００に対する測定によって得られたＳ字特性を示し、図７の（ｂ）部分は、比較例１である光情報記録媒体２０２に対する測定によって得られたＳ字特性を示す図である。また、図７の（ｃ）部分は、レーザ強度を、ＲＯＭ層を再生するための強度である１．０ｍＷに設定して、実施例１である光情報記録媒体２００にそれぞれ照射することによって得られたＳ字特性を示す図である。
【０１３２】
図７の（ａ）部分に示すように、実施例１の第１情報記録層２０におけるＳ字特性の実測値は、１８６ｍＶであり、上記ディスク評価機におけるフォーカスがかかるための基準電圧＋Ｖ１（２３０ｍＶ）を超えていない。よって、図７の（ａ）部分は、現状の規格化されているＢＤ情報記録再生装置における最大再生レーザパワーである０．７ｍＷのレーザ光で記録層数のカウントを行う情報記録再生装置（第１情報記録層２０に対応していない旧規格対応情報記録再生装置）は、第１情報記録層２０を記録層として認識できないことを示している。
【０１３３】
このため、上記旧規格対応情報記録再生装置は、当然ながら、第１情報記録層２０にフォーカスすることはできない。実際、測定時において第１情報記録層２０へのフォーカスを行ったが、通常市販されている民生用ディスク情報記録再生装置に比べ様々な光情報記録媒体に対応可能な汎用性の高い上記ディスク評価機であってもフォーカスがかかることはなかった。なお、基準電圧＋Ｖ１は、上記ＯＤＵ−１０００において、２層情報記録媒体に記録された情報を再生評価できる値として設定された値である。
【０１３４】
一方、図７の（ｂ）部分に示すように、比較例１の第１情報記録層１２０におけるＳ字特性の実測値は、８４７ｍＶであり、基準電圧＋Ｖ１（２３０ｍＶ）を超えている。よって、図７の（ｂ）部分は、現状の規格化されているＢＤ情報記録再生装置における最大再生レーザパワーである０．７ｍＷのレーザ光で記録層数のカウントを行う情報記録再生装置（第１情報記録層１２０に対応していない旧規格対応情報記録再生装置）が、第１情報記録層１２０を記録層として認識できることを示している。
【０１３５】
上記結果より、実施例１の第１情報記録層２０は、比較例１と比較して、現状の規格化されているＢＤ情報記録再生装置における最大再生レーザパワーである０．７ｍＷのレーザ光での記録層数のカウント時において、上記旧規格対応情報記録再生装置に認識される可能性は極めて低い。すなわち、第１情報記録層２０は、通常用いられている情報記録再生装置以上に汎用性の高いディスク評価機にてフォーカス不可能であるため、上記旧規格対応情報記録再生装置では実質認識できないと言える。
【０１３６】
一方、比較例１の第１情報記録層１２０は、現状の規格化されているＢＤ情報記録再生装置における最大再生レーザパワーである０．７ｍＷのレーザ光での記録層数カウント時において、上記旧規格対応情報記録再生装置に認識される可能性が高い。これは、現時点において通常用いられている旧規格対応情報記録再生装置は、２層の記録層まで対応可能となっているためである。しかしながら、上記旧規格対応情報記録再生装置は、第１情報記録層１２０という未知の記録層を認識することとなるため、再生不良を引き起こす可能性がある。
【０１３７】
また、図７の（ｃ）部分に示すように、実施例１の第１情報記録層２０におけるＳ字特性の実測値は、２７４ｍＶであり、基準電圧＋Ｖ１（２３０ｍＶ）を超えている。よって、図７の（ｃ）部分は、第１情報記録層２０を再生するための強度である１．０ｍＷのレーザ光で記録層数のカウントを行う情報記録再生装置（第１情報記録層２０に対応している新規格対応情報記録再生装置）は、第１情報記録層２０を記録層として認識できることを示している。すわなち、上記新規格対応情報記録再生装置は、当然ながら第１情報記録層２０にフォーカスすることができ、第１情報記録層２０を再生することが可能である。実際、測定時において第１情報記録層２０へのフォーカスを行い、フォーカスがかかることを確認した。
【０１３８】
なお、図７の（ａ）部分及び（ｃ）部分に示すように、実施例１の第２情報記録層４０のＳ字特性の実測値は、各々１４３８ｍＶと２１０５ｍＶとであり、共に基準電圧＋Ｖ１（２３０ｍＶ）を超えている。このため、新旧いずれの規格に対応した情報記録再生装置（すなわち、上記旧規格対応情報記録再生装置又は新規格対応情報記録再生装置）であっても、第２情報記録層４０をフォーカスすることができ、第２情報記録層４０に対して、情報の記録・再生が可能となる。
【０１３９】
以上のように、光情報記録媒体２００は、旧規格対応情報記録再生装置にて再生された場合であっても、比較例１のように上記旧規格対応情報記録再生装置に対して再生不良を生じさせることなく、第２情報記録層４０への情報の記録・再生が可能となる。また、新規格対応情報記録再生装置では、第１情報記録層２０に記録された情報も再生可能であるので、光情報記録媒体２００は、第２情報記録層４０における記録容量の限界値を保ったまま記録容量を向上させることができたと言える。なお、光情報記録媒体２０１についても、光情報記録媒体２００と同様のことが言える。
【０１４０】
ところで、通常用いられている情報記録再生装置がフォーカスできる限界は、上述したようにＳ字特性に依存するので、基本的には反射光量に依存する。ここで、複数のサンプルを用いて、各再生エレーザパワーにおけるフォーカスできない反射率の上限値を、上述のディスク評価機にて測定した。このときの測定結果を図８の（ａ）部分に示す。
【０１４１】
図８の（ａ）部分に示すように、現状の規格化されているＢＤ情報記録再生装置における最大再生レーザパワーである０．７ｍＷでは、反射率２．２％が、フォーカスできない（認識できない）反射率の上限値であることがわかる。
【０１４２】
なお、再生レーザパワーは、ＢＤ情報記録再生装置によってばらつく可能性が高いため、実際には２割程度高いパワー（０．８４ｍＷ）である場合も考えられる。この場合（再生レーザパワー０．８４ｍＷ）であっても、フォーカスできない（認識できない）反射率の上限値は、図８の（ａ）部分に示す結果より１．８％と求めることができた。
【０１４３】
また、光情報記録媒体２００及び光情報記録媒体２０１は、ＲＥ層（第２情報記録層４０及び第３情報記録層６０）を含んでいる。よって、記録層数カウント時に、ＲＥ層に対して第１情報記録層２０を再生するための高いレーザパワーの再生光が集光照射される可能性がある。
【０１４４】
ところで、記録層数カウントは、通常、リードインエリアで行われる。そこで、現在市販されている単層ＢＤ−ＲＥのリードインエリアの反射率を、上記ディスク評価機より再生レーザパワーを上げることが可能な、波長４０５ｎｍのレーザ光を出射可能な半導体レーザとＮ．Ａ．（開口率）０．８５の光学系とを有するディスク評価機（パルステック社製  ＤＤＵ−１０００）にて測定した。
【０１４５】
まず、単層ＢＤの再生レーザパワーである０．３５ｍＷで上記リードインエリアの反射率を測定し、次に、より高い再生レーザパワーを照射した後、再度０．３５ｍＷに戻して上記リードインエリアの反射率を測定する。この測定によって、ＲＥ層の劣化（上記リードインエリアの反射率の低下）が起こる再生レーザパワーを測定した。
【０１４６】
この結果、再生レーザパワーが３．５ｍＷまでは反射率は変化しないが、４．０ｍＷにて５％反射率が低下（すなわち、ＲＥ層が劣化）することがわかった。すなわち、３．５ｍＷより高いレーザパワーで記録層数をカウントする場合、ＲＥ層のリードインエリアを劣化させる可能性がある。よって、図８の（ａ）部分に示す結果より、３．５ｍＷでフォーカスがかからない反射率の上限値を求めると０．４％であるので、第１情報記録層２０の反射率は、０．４％より大きい必要があることになる。
【０１４７】
また、光情報記録媒体２００及び光情報記録媒体２０１の再生時に、衝撃によってフォーカスが外れる場合もある。その場合、第１情報記録層２０を再生する再生光が、ＲＥ層（第２情報記録層４０又は第３情報記録層６０）の情報記録領域の情報記録部に照射される可能性がある。そこで、現在市販されている２層ＲＥ−ＢＤの上記情報記録部に再生光を照射し、記録情報が劣化する再生レーザパワーを測定した。なお、この測定は、上述のディスク評価機（ＯＤＵ−１０００）で行われ、記録情報の劣化の指標としては、再生信号の品質の指標として一般に用いられるジッタを用いた。このときの測定結果を図８の（ｂ）部分に示す。
【０１４８】
図８の（ｂ）部分に示すように、再生レーザパワーが１．２ｍＷより高くなると、２層ＲＥ−ＢＤの第１情報記録層（ＲＥ層）のジッタが急激に悪化する（すなわち、ＲＥ層が劣化する）ことがわかる。すなわち、ＲＥ層に記録された情報を劣化させることの無い再生レーザパワーの上限値は、１．２ｍＷであることがわかる。
【０１４９】
したがって、図８の（ａ）部分に示す結果より、再生レーザパワー１．２ｍＷ時のフォーカスがかからない反射率の上限値は１．２％であるため、１．２％より大きい反射率であれば、再生レーザパワー１．２ｍＷ以下でフォーカスできることになる。
【０１５０】
よって、光情報記録媒体２００及び光情報記録媒体２０１の第１情報記録層２０の再生光波長における反射率は、０．４％より大きく２．２％以下であれば良く、より好ましくは、１．２％より大きく１．８％以下であれば良い。
【０１５１】
なお、上記両ディスク評価機による測定結果は、再生光波長が、青色レーザ波長の範囲であれば、変わることはない。
【０１５２】
ところで、通常用いられている情報記録再生装置では、各記録層から検出されるＳ字特性の実測値が所定の基準電圧を超えると記録層が認識される。そして、上記情報記録再生装置によって記録層が認識されると、認識された記録層にフォーカスがかかり、この記録層の情報再生が可能になる。このＳ字特性の検出結果によって、フォーカスがかかり情報再生が可能となる理由を以下に説明する。
【０１５３】
まず、一般的な多層光情報記録媒体を再生する再生システム（情報記録再生装置）１００について説明する。例えば、図１０に示す４層の光情報記録媒体４００を再生する再生システム１００の構成について、図９を用いて以下に説明する。
【０１５４】
図９に示すように、再生システム１００のディスク駆動モータ１０１は、円盤状の光情報記録媒体４００（概略的な断面構造は図１０参照）を所定の速度で回転駆動させる。このディスク駆動モータ１０１は、モータ制御回路１０９によって制御されている。また、このように回転駆動している光情報記録媒体４００からの情報の読み取りは、光学ピックアップ１０２によって行われる。
【０１５５】
光学ピックアップ１０２は、フィードモータ１１１の駆動力によって、光情報記録媒体４００の半径方向に移動できるように構成されている。このフィードモータ１１１は、フィードモータ制御回路１０８によって制御されている。また、フィードモータ１１１は、その回転速度が速度検出器１１２によって検出されるように構成されている。そして、速度検出器１１２は、検出した結果を速度信号として、フィードモータ制御回路１０８に供給する。
【０１５６】
上記光学ピックアップ１０２は、対物レンズ１０２ａを備えている。この対物レンズ１０２ａは、フォーカス方向（光軸方向）とトラッキング方向（光情報記録媒体４００の半径方向）とに、それぞれ移動可能に支持されている。そして、この対物レンズ１０２ａは、フォーカス制御回路１０５にて生成されたフォーカス制御信号がフォーカス駆動コイル１０２ｃに供給されることによって、フォーカス方向の位置が制御される。同様に、対物レンズ１０２ａは、トラッキング制御回路１０８にて生成されたトラッキング制御信号がトラッキング駆動コイル１０２ｂに供給されることによって、トラッキング方向の位置が制御される。
【０１５７】
また、レーザ制御回路１０３は、光学ピックアップ１０２内の半導体レーザ発振器１０２ｆを駆動し、半導体レーザ発振器１０２ｆにおいてレーザ光を発生させる。光量検出器１０２ｇは、この半導体レーザ発振器１０２ｆで発生するレーザ光の光量を検出し、この検出結果をレーザ制御回路１０３に帰還する。この構成により、レーザ制御回路１０３は、半導体レーザ発振器１０２ｆに発生させるレーザ光の光量を一定に制御することができる。
【０１５８】
そして、この半導体レーザ発振器１０２ｆで発生したレーザ光は、コリメータレンズ１０２ｅを通過してハーフプリズム１０２ｄにて直角に折曲された後、対物レンズ１０２ａにより、光情報記録媒体４００の何れかの記録層上に集光することになる。この光情報記録媒体４００の何れかの記録層とは、図１０に示す第１情報記録層Ａ、第２情報記録層Ｂ、第３情報記録層Ｃ又は第４情報記録層Ｄを指す。なお、第１情報記録層Ａ、第２情報記録層Ｂ、第３情報記録層Ｃ、及び第４情報記録層Ｄは、いずれも、情報に応じて設けられた凹凸からなるプリピット上にＡＰＣ（ＡｇＰｄＣｕ）が成膜されることでＡＰＣ（ＡｇＰｄＣｕ）の形状が固定された情報の読み出しのみ可能なＲＯＭ層である。
【０１５９】
また、光情報記録媒体４００からの反射光は、対物レンズ１０２ａを逆行し、ハーフプリズム１０２ｄを直進した後、集光レンズ１０２ｈ及びシリンドリカルレンズ１０２ｉを介して、光電変換器１０２ｊに受光される。この光電変換器１０２ｊは、受光量に応じた電気信号を発生する４つのフォトディテクタ１０２ｊ１〜１０２ｊ４によって構成されている。この光電変換器１０２ｊの場合、フォトディテクタ１０２ｊ１・１０２ｊ２の並び方向及びフォトディテクタ１０２ｊ３・１０２ｊ４の並び方向が、光情報記録媒体４００のトラッキング方向に対応する。同様に、フォトディテクタ１０２ｊ１・１０２ｊ４の並び方向及びフォトディテクタ１０２ｊ２・１０２ｊ３の並び方向が、光情報記録媒体４００の接線方向に対応する。
【０１６０】
上記フォトディテクタ１０２ｊ１から出力された電気信号は、増幅回路１１４ａを介して加算回路１１３ａ・１１３ｄの１端にそれぞれ供給され、上記フォトディテクタ１０２ｊ２から出力された電気信号は、増幅回路１１４ｂを介して加算回路１１３ｂ・１１３ｃの１端にそれぞれ供給される。また、上記フォトディテクタ１０２ｊ３から出力された電気信号は、増幅回路１１４ｃを介して加算回路１１３ａ・１１３ｃの他端にそれぞれ供給され、上記フォトディテクタ１０２ｊ４から出力された電気信号は、増幅回路１１４ｄを介して加算回路１１３ｂ・１１３ｄの他端にそれぞれ供給されている。
【０１６１】
上記加算回路１１３ａの出力信号は、差動増幅回路１０４の反転入力端子−に供給され、上記加算回路１１３ｂの出力信号は、差動増幅回路１０４の非反転入力端子＋に供給されている。この差動増幅回路１０４は、加算回路１１３ａ・１１３ｂの出力信号の差を算出することによってフォーカスエラー信号を生成し、フォーカス制御回路１０５に供給している。このフォーカス制御回路１０５は、入力されたフォーカスエラー信号が０レベルとなるようにフォーカス駆動コイル１０２ｃに与えるフォーカス制御信号を生成し、対物レンズ１０２ａに対するフォーカスサーボが行われる。
【０１６２】
ここで、差動増幅回路１０４から出力されるフォーカスエラー信号は、対物レンズ１０２ａによるレーザ光の集光位置を、その初期位置からフォーカス方向に順次移動させてフォーカスサーチ処理（すなわち、記録層数をカウントする処理）が行われた場合、図１１の（ａ）部分に示すように、Ｓ字特性を描く。
【０１６３】
具体的には、上記フォーカスサーチ処理が行われた場合、フォーカスエラー信号は、対物レンズ１０２ａによるレーザ光の焦点位置が、図１０に示す各記録層（第１情報記録層Ａ、第４情報記録層Ｄ、第３情報記録層Ｃ及び第２情報記録層Ｂ）を通過する毎に、図１１の（ａ）部分に示すようなＳ字特性を描く。なお、上記初期位置とは、対物レンズ１０２ａのフォーカス前の位置であり、通常、図９においては、光情報記録媒体４００の第１情報記録層Ａの下方であって、光情報記録媒体４００から光軸方向に最も離れた位置を指す。
【０１６４】
例えば、光情報記録媒体４００の再生開始時には、再生システム１００は、最初に、光学ピックアップ１０２内の半導体レーザ発振器１０２ｆにて、単層光情報記録媒体に対応した再生光を発生させる。
【０１６５】
次に、対物レンズ１０２ａによるレーザ光の集光位置を、上記初期位置から図９においては上方に、駆動上限位置まで移動させる。そして、再生システム１００は、フォーカスエラー信号が所定の基準電圧＋Ｖ０を越えた回数をカウントすることにより、光情報記録媒体４００の記録層数を認識する。
【０１６６】
その後、再生システム１００は、光情報記録媒体４００が有する記録層数に基づいて定められた再生光パワーを変更する。そして、再生システム１００は、変更された再生光パワーにて、対物レンズ１０２ａによるレーザ光の集光位置を、駆動上限位置から図９においては下方に、初期位置まで移動させる。そのときに、最初にフォーカスサーチ処理される記録層から検出されるフォーカスエラー信号の電圧値が、適切な値となるようフォーカス制御回路１０５等に含まれる増幅器のゲインを変更する。
【０１６７】
そして、例えば、第２情報記録層Ｂにフォーカスサーチ処理する場合、再生システム１００は、フォーカスエラー信号が所定の基準電圧＋Ｖ０を越えた回数をカウントし、４回目となった後、最初に０レベル（フォーカスサーボ動作の中心レベル）となった時点でフォーカスサーボをＯＮ状態とする。これにより、再生システム１００における第２情報記録層Ｂに対するフォーカスサーチ処理が終了される。
【０１６８】
なお、図１１の（ｂ）部分及び（ｃ）部分は、再生システム１００によって上述の第２情報記録層４０にフォーカスサーチ処理が行われたときの対物レンズ位置の遷移とフォーカスエラー信号とを示す図であり、図１１の（ｂ）部分は、対物レンズ位置の遷移を示す図であり、図１１の（ｃ）部分は、フォーカスエラー信号を示すものである。
【０１６９】
また、例えば、第４情報記録層Ｄから第２情報記録層Ｂにレイヤージャンプする場合、再生システム１００は、フォーカスサーボを一旦ＯＦＦ状態にし、第４情報記録層Ｄから第２情報記録層４０に対物レンズ１０２ａによるレーザ光の焦点位置を順次移動させる。そして、再生システム１００は、差動増幅回路１０４から出力されるフォーカスエラー信号が所定の基準電圧＋Ｖ０を越えた回数をカウントし、２回目となった後、最初に０レベル（フォーカスサーボ動作の中心レベル）となった時点でフォーカスサーボをＯＮ状態とする。これにより、レイヤージャンプ処理が終了する。なお、レイヤージャンプ処理については、フォーカスサーチ処理とほぼ同じ処理のため図示していない。
【０１７０】
また、これらのフォーカスサーチ処理が行われたとき、位相差検出回路１０７は、光電変換器１０２ｊのフォトディテクタ１０２ｊ１・１０２ｊ４の出力信号の和と、フォトディテクタ１０２ｊ２・１０２ｊ３の出力信号の和との位相差が検出する。そして、位相差検出回路１０７は、この検出結果をトラッキングエラー信号としてトラッキング制御回路１０６に供給する。
【０１７１】
このトラッキング制御回路１０６は、入力されたトラッキングエラー信号に基づいてトラッキング駆動コイル１０２ｂに与えるトラッキング制御信号を生成し、対物レンズ１０２ａに対してトラッキングサーボを施す。そして、再生システム１００では、このトラッキングサーボが行われている状態で光情報記録媒体４００の再生が行われる。そして、加算回路１１３ｃ・１１３ｄから出力された電気信号が加算回路１１３ｅで合計され、データ再生回路（データ再生制御手段）１１０でデジタル信号に変換される。
【０１７２】
なお、上記再生システム１００のレーザ制御回路１０３、フォーカス制御回路１０５、トラッキング制御回路１０８、モータ制御回路１０９及びデータ再生回路１１０は、制御部１１５によって制御されている。制御部１１５に付属するメモリ（図９には不図示：以下で説明する図１３及び図１４のメモリ１１６に相当）には、再生システム１００に装填される光情報記録媒体４００の記録・再生に関する情報が記憶されている。制御部１１５は、この情報に従って上記各回路を制御することとなる。
【０１７３】
また、記録層からの反射率が大きくなると、再生システム１００のフォーカスエラー信号の電圧値も大きくなる。
【０１７４】
ここで、一般的な多層光情報記録媒体（ここでは、光情報記録媒体４００）を再生する再生システム１００における処理の流れを説明する。図１２は、上記多層光情報記録媒体を再生する再生システム１００における処理の流れを示すフローチャートである。
【０１７５】
まず、再生システム１００に光情報記録媒体４００を装填後、ディスク駆動モータ１０１により、光情報記録媒体４００を所定回転数で回転させる（Ｓ１）。次いで、制御部１１５は、光情報記録媒体４００のリードインエリアに対向する位置に、光学ピックアップ１０２を移動し、所望のレイヤーにフォーカスサーチ処理する（Ｓ２）。このレイヤーとは、光情報記録媒体４００においては、第１情報記録層Ａ、第２情報記録層Ｂ、第３情報記録層Ｃ及び第４情報記録層Ｄの何れかを指す。そして、トラッキング制御回路１０６がトラッキング処理を行い（Ｓ３）、再生システム１００による情報再生処理が行われる（Ｓ４）。
【０１７６】
以上のように、上記再生システム１００において、記録層の認識と各記録層へのフォーカスとは、全て各記録層から得られるＳ字特性に基づいて行われていることがわかる。したがって、上記のような多層光情報記録媒体の再生システム１００が情報記録再生装置に用いられているので、この情報記録再生装置は、各記録層のＳ字特性を測定することによって、記録層の認識の有無及び再生の可否を判断することができる。
【０１７７】
〔３．本発明の一実施形態としての情報記録媒体〕
以上の説明で、本発明が適用される情報記録媒体及び情報記録再生装置の基本事項についての説明が終わった。
【０１７８】
そこで、次に、図１〜５に基づき、本発明を光情報記録媒体２００、光情報記録媒体２０１に適用する場合について説明する。
【０１７９】
まず、光情報記録媒体２００については、図４に示すように、再生光入射面側から順に、透光層１０、第１情報記録層（情報を読み出すことのみ可能な層、記録層）２０、中間層３０、第２情報記録層（情報が記録可能な層、記録層）４０及び基板５０が積層された構造となっている。
【０１８０】
また、図３に示すように、第１情報記録層２０には、第１情報記録領域が割り当てられ、第２情報記録層４０には、第２情報記録領域が割り当てられている。
【０１８１】
さらに、光情報記録媒体２００では、図３に示すように第１情報記録層２０の第１情報記録領域に対する内周側にはリードインエリア（第３情報記録領域）が存在している。
【０１８２】
以上の第１情報記録領域、第２情報記録領域、及びリードインエリアは、それぞれ図１及び図２で説明した第１情報記録領域、第２情報記録領域、及び第３情報記録領域に対応する。
【０１８３】
すなわち、第１情報記録領域及びリードインエリアは、情報を読み出すことのみ可能な層（ＲＯＭ層）である第１情報記録層２０に割り当てられ、第２情報記録領域は、情報を記録可能な層（Ｒ層又はＲＥ層）である第２情報記録層４０に割り当てられている。
【０１８４】
なお、リードインエリア及び第１情報記録領域は、共にＲＯＭ層であるので、ここでは、同一の記録層である第１情報記録層２０（単一のＲＯＭ層）が２つの情報記録領域に分けられていることになる。
【０１８５】
次に、光情報記録媒体２０１については、図５に示すように、再生光入射面側から順に、透光層１０、第１情報記録層（情報を読み出すことのみ可能な層、記録層）２０、中間層３０、第３情報記録層（情報が記録可能な層、記録層）６０、中間層３０、第２情報記録層（情報が記録可能な層、記録層）４０及び基板５０が積層された構造となっている。
【０１８６】
ここで、第１情報記録領域は、第１情報記録層２０において、リードインエリアを除く、記録層として機能するために設けられる反射膜や記録膜等からなる単膜、又多層膜が設けられている媒体面方向（再生光の入射面の面内方向）の範囲を指すこととする。
【０１８７】
また、第２情報記録領域は、第１情報記録層２０以外の記録層において、記録層として機能するために設けられる反射膜や記録膜等からなる単膜、又多層膜が設けられている媒体面方向の範囲を指すこととする。
【０１８８】
すなわち、第２以降の情報記録層の同範囲は、すべて「第２情報記録領域」と呼ぶ。なお、第２以降の情報記録層は、基板に近い方から数を数える。すなわち、第３情報記録層６０は、第１情報記録層２０と第２情報記録層４０との間にあることになる。同様に、第４情報記録層（不図示）は、第１情報記録層２０と第３情報記録層６０との間にある。
【０１８９】
なお、第１情報記録領域、第２情報記録領域、及び第３情報記録領域の配置については、上述のような光情報記録媒体２００及び光情報記録媒体２０１等における配置と異なっていても良いことは言うまでもない。
【０１９０】
よって、図示されていないが、第１情報記録領域は、第１情報記録層２０に割り当てられ、第２情報記録領域は、第２情報記録層４０及び第３情報記録層６０のそれぞれに割り当てられる。
【０１９１】
さらに、光情報記録媒体２０１では、光情報記録媒体２００と同様に第１情報記録層２０の第１情報記録領域に対する内周側にはリードインエリア（第３情報記録領域）が存在している。
【０１９２】
以上の第１情報記録領域、第２情報記録領域（第２情報記録層４０及び第３情報記録層６０上に存在する）、及びリードインエリアは、それぞれ図１及び図２で説明した第１情報記録領域、第２情報記録領域、及び第３情報記録領域に対応する。
【０１９３】
上記のように、光情報記録媒体２００及び光情報記録媒体２０１においては、第１情報記録領域及びリードインエリアは、情報を読み出すことのみ可能な層（ＲＯＭ層）に割り当てられ、第２情報記録領域は、情報を記録可能な層（Ｒ層又はＲＥ層）に割り当てられていることが好ましい。
【０１９４】
なぜなら、第２情報記録領域は、上述した連続テレビドラマの例では、連続テレビドラマの第２話以降を記録する必要があるため、情報を記録可能な層に割り当てる必要がある。
【０１９５】
また、第１情報記録領域を、情報を読み出すことのみ可能な層（ＲＯＭ層）に割り当てることにより、連続テレビドラマの第１話に対して、間違えて別のデータを上書きしてしまうという誤操作を防止することができる。
【０１９６】
また、リードインエリアは、ＲＯＭ層に割り当てることにより、予約情報に対して、間違えて別のデータを上書きしてしまうという誤操作を防止することができる。
【０１９７】
さらに、光情報記録媒体２００及び光情報記録媒体２０１の製造時に予約情報を記録できるため、ユーザが何らかの手段でコンテンツの予約情報を光情報記録媒体２００及び光情報記録媒体２０１に記録する必要が無く、また連続テレビドラマの第２話以降の予約情報をＲＯＭ層の第３情報記録領域に記録するため、連続テレビドラマの第２話以降が記録されるＲ層又はＲＥ層の第２情報記録領域の記録可能領域が削られることも無い。
【０１９８】
ＲＯＭ層の例としては、情報がエンボスプリピット列を用いて記録されている、又は情報がレーザを用いて記録されている場合が列挙できる。
【０１９９】
これにより、メーカ側から見れば、光情報記録媒体２００及び光情報記録媒体２０１の製造時に、連続テレビドラマ第１話及び予約情報などの変更が容易に変更できるというメリットがある。
【０２００】
〔４．本発明の一実施形態としての情報記録再生装置〕
次に、図１３〜１７に基づき、本発明の再生システム１００を備える情報記録再生装置に適用する場合について説明する。
【０２０１】
その前に、図１及び図２に基づき、上記〔１．情報記録媒体の概念的構成〕において説明を割愛した、「無効化情報」について説明しておくことにする。
【０２０２】
上述したように、特許文献１に記載の情報記録媒体では、予約情報により記録される放送番組が、ユーザの期待に沿わない内容であったとしても、当該予約情報の予約記録に使用される記録領域を他のコンテンツの記録に転用できない構成となっているという問題点がある。よって、例えば、当該予約情報に対応するすべての放送番組の放送後には、当該予約情報のみが記録された情報記録媒体となり、完全にユーザにとって、不要な情報記録媒体となってしまうという問題点がある。
【０２０３】
このような、問題点を解決するため、光情報記録媒体２００及び光情報記録媒体２０１では、上述の連続テレビドラマの例で説明すると、第２情報記録領域には、予約情報に対応する連続テレビドラマの第２話以降の第２情報記録領域への記録の取り消しを決定するための無効化情報を記録することが可能な領域（図１及び図２の無効化情報記録領域）が設けられていることが好ましい。
【０２０４】
すなわち、「無効化情報」とは、例えば、予約情報に対応する連続テレビドラマの第２話以降の第２情報記録領域への記録の取り消しを決定するための情報である。
【０２０５】
例えば、「無効化情報領域」に「無効化情報」が記録されている場合には、予約情報に対応する連続テレビドラマの第２話以降の第２情報記録領域への記録の実行が行なわれないように情報記録再生装置を構成する。
【０２０６】
一方、後に図１３〜図１７を用いて詳しく説明するが、このような無効化情報記録領域を有する光情報記録媒体２００及び光情報記録媒体２０１に対応した情報記録再生装置（以下、対応情報記録再生装置と呼ぶ）の主要な機能の概要について説明しておく。
【０２０７】
対応情報記録再生装置は、光情報記録媒体２００及び光情報記録媒体２０１における第２情報記録領域に無効化情報が記録されている場合に、当該無効化情報に対応する予約情報が無効であると判断し、当該予約情報に対応する連続テレビドラマ第２話以降の第２情報記録領域への記録を取り消すことが好ましい。
【０２０８】
また、対応情報記録再生装置は、連続テレビドラマの第２話以降の第２情報記録領域への記録を取り消す指示を入力するための操作部（入力手段）１２０（図１３及び図１４参照）を備えており、操作部１２０を介して記録を取り消す指示が入力された場合に、第２情報記録領域に、無効化情報を記録しても良い。
【０２０９】
以上の光情報記録媒体２００、光情報記録媒体２０１及び対応情報記録再生装置の構成によれば、予約情報により記録される連続テレビドラマの第２話以降が、ユーザの期待に沿わない内容であった場合、無効化情報を光情報記録媒体２００及び光情報記録媒体２０１に記録することにより、ユーザの期待に沿わない内容のコンテンツが、光情報記録媒体２００及び光情報記録媒体２０１に記録されることを防止することができ、ユーザの利便性を向上させることができる。
【０２１０】
また、対応情報記録再生装置は、情報記録媒体が複数存在する場合（例えば、光情報記録媒体２００及び光情報記録媒体２０１の２つが存在する場合など）に、光情報記録媒体２００（又は光情報記録媒体２０１）のリードインエリアに記録された予約情報及び、当該予約情報と光情報記録媒体２００（又は光情報記録媒体２０１）との対応関係を示す対応関係情報（例えば、予約情報と光情報記録媒体との対応関係を示す対応関係テーブルなどが考えられる。）を記録するメモリ（記録部）１１６（図１３及び図１４）を備えていることが好ましい。
【０２１１】
そして、光情報記録媒体２００（又は光情報記録媒体２０１）の第２情報記録領域に無効化情報が記録されている場合に、対応関係情報に基づいて、光情報記録媒体２００（又は光情報記録媒体２０１）に対応する予約情報を、メモリ１１６から消去するが好ましい。
【０２１２】
上記構成によれば、無効化情報が記録された光情報記録媒体２００（又は光情報記録媒体２０１）に対応する予約情報が、メモリ１１６から消去されるので、連続テレビドラマの第２話以降について、間違って、ユーザの期待に沿わない内容の回のテレビドラマが光情報記録媒体２００（又は光情報記録媒体２０１）に記録されてしまうという誤操作を防止することができる。
【０２１３】
また、前記構成により、対応情報記録再生装置は、無効化情報が記録された光情報記録媒体２００（又は光情報記録媒体２０１）に記録されているユーザの期待に沿わない内容の回のテレビドラマに対応する予約情報を認識しないようにできる（無効と判断できる）ため、対応情報記録再生装置に当該テレビドラマが記録される予定の第２情報記録領域を、通常の記録が可能な記録領域と認識させることができる。
【０２１４】
よって、予約情報に対応する第２情報記録領域を他のコンテンツの記録に転用することが可能となる。
【０２１５】
以上より、連続テレビドラマなどの互いに関連する複数のコンテンツの予約記録やダウンロードを簡単に管理することができる情報記録媒体及び情報記録再生装置を提供することができる。
【０２１６】
次に、図１３〜図１７に基づき、本発明の一実施形態である情報記録再生装置１００１及び情報記録再生装置１００２の構成及び動作について説明する。
【０２１７】
まず、図１３に示すように、情報記録再生装置１００１は、再生システム１００に加えて、メモリ（記録部）１１６、タイマー１１７、チューナー１１８、データ記録回路（データ記録手段）１１９、操作部（入力手段）１２０を備える構成である。
【０２１８】
また、図１５に示すように、情報記録再生装置１００１の制御部１１５は、メモリ制御部（記録制御手段）１１５１、日時確認部（日時確認手段）１１５２、放送局選択部（放送局選択手段）１１５３、媒体書き込み制御部（媒体書き込み制御手段）１１５４、無効化情報認識部（無効化情報認識手段）１１５６、及びディスク認識部（媒体認識手段）１１５７からなる構成である。
【０２１９】
なお、以下、光情報記録媒体２００を情報記録再生装置１００１に装填する場合について説明する。また、再生システム１００のその他の構成は、既に説明したものと同じであるので、説明は省略する。
【０２２０】
メモリ制御部１１５１は、光情報記録媒体２００のリードインエリアから再生した予約情報、並びに、以下で説明するディスク認識部１１５７が取得した媒体識別番号（ディスクの識別番号）と予約情報との対応関係を示す対応関係情報（例えば、対応関係テーブル）をメモリ１１６に保存したり、当該保存した予約情報及び対応関係情報を読み出したり、以下で説明する無効化情報認識部１１５６から無効化情報を認識した旨の通知（無効化情報認識通知）を受けて、メモリ１１６に記録されている予約情報を消去したり等、メモリ１１６とその他の構成とのやりとりなどの制御を行うものである。
【０２２１】
日時確認部１１５２は、タイマー１１７と連動しており、メモリ１１６に記録されている予約情報のうち予約日時（予約日時情報：予約情報の日時）がタイマー１１７からの出力信号から抽出される現在の日時を示す情報（現在日時情報：タイマー１１７の日時）と一致する否かを判断し、一致した場合は、その旨をメモリ制御部に伝達する、ものである。
【０２２２】
放送局選択部１１５３は、日時確認部１１５２が予約日時と現在の日時とが一致していると判断した場合に、メモリ制御部１１５１によって、メモリ１１６に記録されている予約情報のうち、予約した放送番組（コンテンツ）が放送される放送局の所在を示す放送局所在情報（例えば、受信周波数など）に基づいて、チューナー１１８を動作させて受信周波数などを調整し、上記放送局所在情報に対応する放送局からの放送番組を受信可能とするものである。
【０２２３】
媒体書き込み制御部１１５４は、チューナー１１８を介して図示しない通信部（通信制御手段）が受信した上記放送局からの放送番組を情報記録再生装置１００１の再生システム１００のデータ記録回路１１９に送信したり、操作部１２０を介して記録を取り消す指示が入力された場合に、データ記録回路１１９などを駆動して、光情報記録媒体２００の第２情報記録領域に、無効化情報を記録したりして、光情報記録媒体２００へのデータの書き込みなどの制御を行うものである。また、左記に限るものではなく、他の外部入力情報（例えば、かむコーダからの情報等に）が入力された場合においても。情報をデータ記録回路１１９に送信するものでもある。
【０２２４】
無効化情報認識部１１５６は、無効化情報を認識しなかった場合は、メモリ制御部１１５１を駆動し（又は無効化情報を認識しなかった旨の通知を送信する構成でも良い）、放送局からの放送番組の受信等の各種処理を行わせたり、無効化情報を認識した場合は、その旨の通知（無効化情報認識通知）をメモリ制御部１１５１に送信したりして、「無効化情報」に関するその他の構成とのやりとりなどを制御するものである。
【０２２５】
ディスク認識部１１５７は、光情報記録媒体２００が情報記録再生装置１００１に装填されたか否かを認識（検出）し、光情報記録媒体２００が装填されている場合には、メモリ制御部１１５１を駆動させて光情報記録媒体２００から媒体識別番号（媒体識別情報：ディスクの識別番号）を取得したり、当該媒体識別番号を無効化情報認識部１１５６に送信したり、光情報記録媒体２００に無効化情報が記録されている場合には、無効化情報認識部１１５６に無効化情報を送信したり、光情報記録媒体２００に無効化情報が記録されていない場合には、直接、メモリ制御部１１５１を駆動したりして、光情報記録媒体２００の装填・非装填に関係する各種処理を制御するものである。
【０２２６】
次に、図１４に示す情報記録再生装置１００２は、再生システム１００に加えて、メモリ１１６、タイマー１１７、データ記録回路１１９、操作部１２０、インターネット端末装置（端末装置）１２１、インターネット１２２、及びウェブサーバ（情報中継装置、情報供給装置）１２３を備える構成である。
【０２２７】
また、図１６に示すように、情報記録再生装置１００２の制御部１１５は、メモリ制御部（記録制御手段）１１５１、媒体書き込み制御部（媒体書き込み制御手段）１１５４、無効化情報認識部（無効化情報認識手段）１１５６、ディスク認識部（媒体認識手段）１１５７、及びインターネット通信制御部（通信制御部）１１５５からなる構成である。
【０２２８】
メモリ制御部１１５１は、光情報記録媒体２００のリードインエリアから再生したダウンロード情報、並びに、以下で説明するディスク認識部１１５７が取得した媒体識別番号（媒体識別情報：ディスクの識別番号）とダウンロード情報との対応関係を示す対応関係情報（例えば、対応関係テーブル）をメモリ１１６に保存したり、当該保存したダウンロード情報及び対応関係情報を読み出したり、当該ダウンロード情報をインターネット通信制御部１１５５に送信したり、以下で説明する無効化情報認識部１１５６から無効化情報を認識した旨の通知（無効化情報認識通知）を受けたりして、メモリ１１６に記録されているダウンロード情報を消去したり等、メモリ１１６とその他の構成とのダウンロード情報、対応関係情報などのデータのやりとりなどの制御を行うものである。
【０２２９】
媒体書き込み制御部１１５４は、データ記録回路１１９等を駆動させてインターネット端末装置１２１から送信されたコンテンツを、光情報記録媒体２００に記録させたり、操作部１２０より、ダウンロードの実行命令が入力された場合には、インターネット通信制御部１１５５を駆動して、インターネット１２２を介してウェブサーバ１２３と、情報記録再生装置１００２との接続を確立させたりして、ウェブサーバ１２３からのコンテンツを受け、光情報記録媒体２００へのデータの書き込み等を制御し、操作部１２０を介して記録を取り消す指示が入力された場合には、データ記録回路１１９などを駆動して、光情報記録媒体２００の第２情報記録領域に、無効化情報を記録したりして、光情報記録媒体２００へのデータの書き込みなどの制御を行うものである。
【０２３０】
インターネット通信制御部１１５５は、メモリ制御部１１５１からダウンロード情報を受信して、インターネット端末装置１２１を駆動し、当該ダウンロード情報に基づき、インターネット端末装置１２１にウェブサーバ１２３からコンテンツをダウンロードするよう命令（ダウンロード命令）を発したりして（送信したりして）、情報記録再生装置１００２及びウェブサーバ１２３間のインターネット１２２上でのコンテンツ等のやりとり等を制御するものである。
【０２３１】
無効化情報認識部１１５６は、無効化情報を認識しなかった場合は、メモリ制御部１１５１を駆動し（無効化情報を認識しなかった旨の通知を送信する構成でも良い）、インターネットへの接続等の各種処理を行わせたり、無効化情報を認識した場合は、その旨の通知（無効化情報認識通知）をメモリ制御部１１５１に送信したりして、「無効化情報」に関するその他の構成とのやりとりなどを制御するものである。
【０２３２】
ディスク認識部１１５７は、光情報記録媒体２００が情報記録再生装置１００２に装填されたか否かを認識（検出）し、光情報記録媒体２００が装填されている場合には、メモリ制御部１１５１を駆動して光情報記録媒体２００から媒体識別番号（媒体識別情報：ディスクの識別番号）を取得したり、当該媒体識別番号を無効化情報認識部１１５６にを送信したり、光情報記録媒体２００に無効化情報が記録されている場合には、無効化情報認識部１１５６に無効化情報を送信したり、光情報記録媒体２００に無効化情報が記録されていない場合には、メモリ制御部１１５１を駆動したりして、光情報記録媒体２００の装填・非装填に関係する各種処理を制御するものである。
【０２３３】
インターネット端末装置１２１は、インターネット１２２を介してウェブサーバ１２３と、情報記録再生装置１００２との接続を確立したり、接続が確立されると、インターネット端末装置１２１のディスプレイに、「ダウンロード開始？」（ダウンロード指示を促す表示）と表示したり、ウェブサーバ１２３からダウンロードしたコンテンツを媒体書き込み制御部１１５４に送信したりして、情報記録再生装置１００２及びウェブサーバ１２３間のインターネット１２２上でのコンテンツ等のやりとり等を行うものである。
【０２３４】
次に、図１７のフローチャートに基づき、その他の情報記録再生装置１００１の動作の流れについて説明する。なお、情報記録再生装置１００２の動作の流れについては、情報記録再生装置１００１の放送局選択部１１５３がインターネット通信制御部１１５５に置き換ったのみで、ほとんど処理は同一なので、説明は省略する。
【０２３５】
ステップＳ１１（以下「ステップ」を省略する）では、ユーザが情報記録再生装置１００１に光情報記録媒体２００を装填してＳ１２に進む。
【０２３６】
Ｓ１２では、ディスク認識部１１５７が、図示しないディスク検出部（媒体検出手段）からの出力（ディスク装填信号）を受けると、メモリ制御部１１５１に光情報記録媒体２００が装填されたことを示す「媒体検出通知」を送信してＳ１３に進む。なお、「媒体検出通知」は、無効化情報認識部１１５６に通知する構成を採用しても良い。
【０２３７】
Ｓ１３では、メモリ制御部１１５１が、ディスク認識部１１５７から「媒体検出通知」を受けると、データ再生回路１１０等を駆動させて光情報記録媒体２００のリードインエリアからコントロールデータ（ＯＰＣ処理：A step of Optimum Power Control；ディフェクトマネジメント処理などに必要な情報）を読み取り、メモリ１１６に記録し、Ｓ１４に進む。
【０２３８】
Ｓ１４では、メモリ制御部１１５１が、データ再生回路１１０等を駆動させて光情報記録媒体２００の第２情報記録領域に予約無効化情報（無効化情報）が記録されている場合には、それを読み取り、「予約取り消し通知」をメモリ制御部１１５１に通知してＳ１５に進む。
【０２３９】
Ｓ１５では、メモリ制御部１１５１が、データ再生回路１１０等を駆動させて予約無効化情報を読み取った場合には、「ＹＥＳ」となり、Ｓ２４に進む。
【０２４０】
Ｓ２４では、ディスク認識部１１５７が、データ再生回路１１０等を駆動させて挿入された光情報記録媒体２００から媒体識別情報（ディスクの識別情報）を読み取り、メモリ１１６に記録された媒体識別番号と一致している場合には、「ＹＥＳ」となり、ディスク認識部１１５７が「媒体一致通知」をメモリ制御部１１５１に通知してＳ２５に進む。一方、Ｓ２４で、媒体識別情報と、メモリ１１６に記録された媒体識別番号とが一致していない場合には、「ＮＯ」となりＳ２６に進む。Ｓ２６では、操作部１２０からの入力待ちの状態となり、「ＥＮＤ」となる。
【０２４１】
Ｓ２５では、メモリ制御部１１５１が、ディスク認識部１１５７から「媒体一致通知」を受け、メモリ１１６に記録された媒体識別番号（ディスクの識別番号）と予約情報との対応関係を示す対応関係情報（例えば、対応関係テーブル）に基づいて、挿入された光情報記録媒体２００に対応する予約情報をメモリ１１６から消去してＳ２６に進む。Ｓ２６では、操作部１２０からの入力待ちの状態となり、「ＥＮＤ」となる。
【０２４２】
一方、Ｓ１５で、メモリ制御部１１５１が、予約無効化情報を読み取らなかった場合には、「Ｎｏ」となり、Ｓ１６に進む。
【０２４３】
Ｓ１６では、メモリ制御部１１５１が、データ再生回路１１０等を駆動させて光情報記録媒体２００のリードインエリアに予約情報が記録されている場合には、それを読み取り、メモリ１１６に記録し、Ｓ１７に進む。
【０２４４】
Ｓ１７では、メモリ制御部１１５１が、予約情報を読み取らなかった場合には、「Ｎｏ」となりＳ２６に進む。Ｓ２６では、操作部１２０からの入力待ちの状態となり、「ＥＮＤ」となる。
【０２４５】
一方、メモリ制御部１１５１が予約情報を読み取った場合には、ＹＥＳとなり、Ｓ１８に進む。
【０２４６】
Ｓ１８では、メモリ制御部１１５１が光情報記録媒体２００の第２情報記録領域に、上記予約情報に対応する放送番組が既に記録されているか否かを確認する。
【０２４７】
その後、メモリ制御部１１５１は、当該放送番組が、光情報記録媒体２００に既に記録済みの場合には、「ＹＥＳ」となり、Ｓ２６に進む。Ｓ２６では、操作部１２０からの入力待ちの状態となり、「ＥＮＤ」となる。
【０２４８】
一方、Ｓ１８で、メモリ制御部１１５１は、当該放送番組が光情報記録媒体２００に未だ記録されていない場合には、「Ｎｏ」となりＳ１９に進む。
【０２４９】
Ｓ１９では、日時確認部１１５２がタイマー１１７からの出力信号から「現在の日時」を抽出し、当該「現在の日時」が、メモリ１１６に記録されている予約情報に含まれる「予約日時」を経過していない場合には、メモリ制御部１１５１に「コンテンツ取得命令」を通知する。
【０２５０】
メモリ制御部１１５１は、当該「コンテンツ取得命令」を受けると、放送局選択部１１５３に予約情報のうち、当該予約情報に対応する放送番組の放送が行なわれる予定の放送局の所在を示す情報、例えば、番組周波数などの情報を送信する。
【０２５１】
放送局選択部１１５３は、当該番組周波数などの情報を受けると、チューナー１１８の受信周波数を番組周波数に合わせ、図示しない通信部（通信制御手段）から何時でも放送番組を受信できるようにする。
【０２５２】
チューナー１１８は、この後、前記通信部が通信可能となったことを示す情報である「受信可能通知」を媒体書き込み制御部１１５４に通知する。
【０２５３】
媒体書き込み制御部１１５４は、チューナー１１８から「受信可能通知」を受けると、予約日時に達するまで待機状態となり（予約待機状態）、Ｓ２０に進む。
【０２５４】
Ｓ２０では、媒体書き込み制御部１１５４が、図示しない表示部に予約情報を（ＦＬFluorescent Lighting）表示してＳ２１に進む。
【０２５５】
Ｓ２１では、操作部１２０を介して、ユーザが予約をキャンセルする旨の意思表示を入力していた場合には、「ＹＥＳ」となりＳ２６に進む。Ｓ２６では、操作部１２０からの入力待ちの状態となり、「ＥＮＤ」となる。
【０２５６】
一方、Ｓ２１で、操作部１２０を介して、ユーザが予約をキャンセルする旨の意思表示が入力していない場合には「ＮＯ」となり、Ｓ２２に進む。
【０２５７】
Ｓ２２では、日時確認部１１５２がタイマー１１７からの出力信号から「現在の日時」を抽出し、当該「現在の日時」が、メモリ１１６に記録されている予約情報に含まれる「予約日時」と一致しないときは、「ＮＯ」となり、Ｓ２１へ戻る。
【０２５８】
一方、Ｓ２２で、日時確認部１１５２がタイマー１１７からの出力信号から「現在の日時」を抽出し、当該「現在の日時」が、メモリ１１６に記録されている予約情報に含まれる「予約日時」と一致した場合には、「日時一致通知」を媒体書き込み制御部１１５４に通知してＳ２３に進む。
【０２５９】
Ｓ２３では、媒体書き込み制御部１１５４が、日時確認部１１５２から「日時一致通知」を受けて、図示しない通信部（通信制御手段）から予約情報に対応する放送番組（コンテンツ）の放送を受信し、データ記録回路１１９等を駆動させて光情報記録媒体２００の第２情報記録領域に当該放送番組（コンテンツ）を録画（記録）し「ＥＮＤ」となる。
【０２６０】
〔５．情報記録媒体上の表示について〕
次に、光情報記録媒体２００及び光情報記録媒体２０１の表面の表示について説明する。
【０２６１】
光情報記録媒体２００及び光情報記録媒体２０１は、再生光が入射する側の表面と対向する側の表面に、連続テレビドラマの第１話及び第２話以降に関連する関連情報が予め表示されていることが好ましい。
【０２６２】
また、光情報記録媒体２００及び光情報記録媒体２０１は、関連情報は、前記対向する側の表面に貼り付けられた、剥離自在な貼り付け型ラベル上に表示されていても良い。
【０２６３】
前記構成によれば、関連情報を、光情報記録媒体２００及び光情報記録媒体２０１にあらかじめ表示しておけば、ユーザが光情報記録媒体２００及び光情報記録媒体２０１に記録されているコンテンツを識別するために、光情報記録媒体２００及び光情報記録媒体２０１に添付されているラベルやジャケット等に記録したコンテンツ名称を書き込む等の作業が必要でなくなる。なお、貼り付け型ラベルは剥離自在となっていることが好ましいが、この理由については、以下で説明する。
【０２６４】
また、光情報記録媒体２００及び光情報記録媒体２０１は、前記対向する側の表面は、情報を直接書き込むことが可能な面となっていても良い。
【０２６５】
前記構成によれば、ユーザの好みの関連情報を書き込んだり、また、光情報記録媒体２００及び光情報記録媒体２０１を他のコンテンツの記録に転用したり、上述した貼り付け型ラベルが不要となった場合に、当該貼り付け型ラベルを剥離して、ユーザの好みの情報を直接書き込むことが可能となり、ユーザの利便性が向上する。
【０２６６】
例えば、光情報記録媒体２００及び光情報記録媒体２０１の再生光入射面の裏面に連続テレビドラマに対応するデザインが印刷されたレーベルが貼り付けられていても良い。
【０２６７】
また、前記レーベルは剥離可能であり、剥離後の面は、ペン等による書き込みが可能になっていても良い。
【０２６８】
また、前記剥離後の面は感熱型や感光型の記録媒体が塗布され、サーマルヘッドや光ヘッドにより予め連続テレビドラマに対応するデザインが記録されていても良い。ユーザが対応装置によって書き換えが可能になっているものでも良い。
【０２６９】
以上より、連続テレビドラマなどの互いに関連する複数のコンテンツの予約記録やダウンロードを簡単に管理することができる情報記録媒体、情報記録再生装置、情報記録再生装置の制御方法、情報記録プログラム、及びコンピュータ読み取り可能な記録媒体を提供することができる。
【０２７０】
最後に、情報記録再生装置１００１及び情報記録再生装置１００２の各ブロック、特に制御部１１５は、ハードウェアロジックによって構成してもよいし、次のようにＣＰＵを用いてソフトウェアによって実現してもよい。
【０２７１】
すなわち、情報記録再生装置１００１及び情報記録再生装置１００２は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラム及び各種データを格納するメモリ等の記憶装置（記録媒体）などを備えている。そして、本発明の目的は、上述した機能を実現するソフトウェアである情報記録再生装置１００１及び情報記録再生装置１００２の制御プログラムのプログラムコード（実行形式プログラム、中間コードプログラム、ソースプログラム）をコンピュータで読み取り可能に記録した記録媒体を、情報記録再生装置１００１及び情報記録再生装置１００２に供給し、そのコンピュータ（又はＣＰＵやＭＰＵ）が記録媒体に記録されているプログラムコードを読み出し実行することによっても、達成可能である。
【０２７２】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２７３】
また、情報記録再生装置１００１及び情報記録再生装置１００２を通信ネットワークと接続可能に構成し、前記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２７４】
なお、本発明の情報記録媒体は、各種情報の読出しが可能な情報記録媒体であって、予め第１コンテンツが記録された第１情報領域（第１情報記録領域）と、第２コンテンツが記録可能な第２情報領域（第２情報記録領域）と、前記第１コンテンツに関連した第２コンテンツを前記第２情報領域に記録するための予約情報が記録された第３情報領域（第３情報記録領域）を有していても良い。
【０２７５】
また、本発明の情報記録媒体は、前記予約情報には、前記第２情報領域へ記録される第２コンテンツのビットレート情報が含まれても良い。
【０２７６】
また、本発明の情報記録媒体は、基板上に、再生光によって情報を読み出すことが可能な複数の情報記録層と、前記複数の情報層各々を分離する中間層と、前記基板より最も遠い位置に設けられた透光層とを有し、前記複数の情報記録層のうち、少なくとも1層が情報を読み出すことのみ可能な層であり、他の情報記録層のうち少なくとも１層が情報を記録可能な層で構成され、前記情報を読み出すことのみ可能な層が前記第１情報領域及び前記第３情報領域に割り当てられ、前記情報を記録可能な層が前記第２情報記録領域に割り当てられていても良い。
【０２７７】
また、本発明の情報記録媒体は、各種情報の読出しが可能な情報記録媒体であって、予め第１コンテンツが記録された第１情報領域と、第２コンテンツが記録可能な第２情報領域と、前記第１コンテンツに関連した第２コンテンツを前記第２情報領域に記録するためのダウンロード情報が記録された第３情報領域を有していても良い。
【０２７８】
また、本発明の情報記録媒体は、前記ダウンロード情報は、ダウンロード記録を許諾するキーを含んでいても良い。
【０２７９】
また、本発明の情報記録媒体は、基板上に、再生光によって情報を読み出すことが可能な複数の情報記録層と、前記複数の情報層各々を分離する中間層と、前記基板より最も遠い位置に設けられた透光層とを有し、前記複数の情報記録層のうち、少なくとも1層が情報を読み出すことのみ可能な層であり、他の情報記録層のうち少なくとも１層が情報を記録可能な層で構成され、前記情報を読み出すことのみ可能な層が前記第１情報領域及び前記第３情報領域に割り当てられ、前記情報を記録可能な層が前記第２情報記録領域に割り当てられていても良い。
【０２８０】
また、本発明の情報記録媒体は、前記第２情報領域に、前記予約情報又は前記ダウンロード情報を無効にするための無効化情報を記録することが出来る領域が設けられていても良い。
【０２８１】
また、本発明の情報記録媒体は、前記情報記録媒体であって、前記再生光が入射する面と反対側の表面に、前記予約情報又は前記ダウンロード情報に基づいて記録される第２コンテンツに関連する情報が予め表示されていても良い。
【０２８２】
また、本発明の情報記録媒体は、前記表示は印刷された剥離自在な貼り付け型ラベルであっても良い。
【０２８３】
また、本発明の情報記録媒体は、前記表示は、書き込み可能な表面で構成されていても良い。
【０２８４】
また、本発明の情報記録媒体は、前記情報記録媒体を用い、光情報記録媒体上の第３情報領域から再生した予約情報又はダウンロード情報に基づいて得られた第２コンテンツを、前記情報記録媒体上の第２情報領域に記録しても良い。
【０２８５】
また、本発明の情報記録再生装置は、請求項１１に記載の情報記録再生装置であって、前記情報記録媒体上の第２情報領域に記録された無効化情報に基づいて、第３情報領域に記録されている予約情報又はダウンロード情報の実行可否を決定しても良い。
【０２８６】
また、本発明の情報記録再生装置は、前記情報記録媒体上の第３情報領域に記録されている予約情報又はダウンロード情報を無効化するための無効化指示入力手段を有し、前記無効化指示入力に対応した無効化情報を前記情報記録媒体上の第２情報領域に記録しても良い。
【０２８７】
また、本発明の情報記録再生装置は、前記予約情報又はダウンロード情報と対応する情報記録媒体を特定する情報をメモリ手段に記憶し、前記情報記録媒体上の第２情報領域に前記無効化情報が記録された場合に前記メモリに記憶された前記情報を消去しても良い。
【０２８８】
また、本発明の情報記録媒体は、複数の情報記録領域が割り当てられた、単層又は複数の、少なくとも情報を読み出すことが可能な記録層を有する情報記録媒体であって、前記複数の情報記録領域は、少なくとも第１情報記録領域、第２情報記録領域及び第３情報記録領域を含んでおり、前記第１情報記録領域には、少なくとも第１コンテンツが予め記録されており、前記第２情報記録領域は、前記第１コンテンツに関連する関連コンテンツを記録することが可能な情報記録領域であり、前記第３情報記録領域には、前記関連コンテンツの前記第２情報記録領域への記録を開始させるための記録開始情報が予め記録されていても良い。
【０２８９】
前記構成によれば、本発明の情報記録媒体は、複数の情報記録領域が割り当てられた、単層又は複数の、少なくとも情報を読み出すことが可能な記録層を有する情報記録媒体である。よって、それぞれの記録層に情報が記録されていれば、当該情報を読み出すことができる。
【０２９０】
また、複数の情報記録領域は、少なくとも第１情報記録領域、第２情報記録領域、及び第３情報記録領域を含んでいる。
【０２９１】
なお、「少なくとも」とは、第１情報記録領域、第２情報記録領域、及び第３情報記録領域以外の情報記録領域も存在していても良いことを示すものである。
【０２９２】
また、第１情報記録領域、第２情報記録領域、及び第３情報記録領域の割り当てについては、単層の記録層を有する情報記録媒体の場合には、すべての情報記録領域が、単層の記録層に割り当てられていることになる。
【０２９３】
また、複数の記録層を有する情報記録媒体の場合には、第１情報記録領域、第２情報記録領域、及び第３情報記録領域の３つの情報記録領域が、それぞれ異なる記録層に割り当てられる場合、２つの情報記録層が単一の記録層、残りの１つの情報記録領域が他の記録層に割り当てられる場合が考えられる。
【０２９４】
また、第１情報記録領域には、少なくとも第１コンテンツが予め記録されている。
【０２９５】
なお、「少なくとも」とは、第１コンテンツ以外の情報が記録されていることもあり得ることを示すものである。
【０２９６】
また、「第１コンテンツ」は、例えば、連続テレビドラマを例にとれば、第１話のみであっても良いし、第１話及び第２話のように、少なくとも最終話を除く数話であっても良い。
【０２９７】
また、第２情報記録領域は、前記第１コンテンツに関連する関連コンテンツを記録することが可能となっている。「関連コンテンツ」は、連続テレビドラマを例にとれば、最終話のみであっても良いし、第３話から最終話までの数話であっても良い。
【０２９８】
ここで、「第１コンテンツ」及び「関連コンテンツ」などの「コンテンツ」の例としては、画像、動画、音楽、音声データ、メール等のテキストデータ、ＷＥＢページに掲載されているデータ、並びに、ワンセグ、３セグ、及び地デジなどの放送コンテンツなど、ソフトウェアの処理対象となるさまざまな情報を含む概念である。
【０２９９】
さらに、第３情報記録領域には、前記関連コンテンツの前記第２情報記録領域への記録を開始させるための記録開始情報が予め記録されている。
【０３００】
ところで、上述した特許文献１に記載の情報記録媒体は、予約情報（記録開始情報）に対応する放送番組（コンテンツ）の放送が開始された後は、当該放送番組を記録することができなくなってしまうという問題点がある。さらに、特許文献１に記載の情報記録媒体は、予約情報による情報記録媒体への予約記録の取り消し方法などについては、何も考慮されていないため、当該予約情報の予約記録に使用される情報記録領域を他のコンテンツの記録に転用できない構成となっている。よって、例えば、当該予約情報に対応するすべての回の放送番組の放送後には、当該予約情報のみが記録された不要な情報記録媒体が残ってしまう可能性がある。
【０３０１】
この点、本発明の情報記録媒体では、例えば、第１話から始まり、第１２話で完結する連続テレビドラマを例にとって説明すると、例えば、第１話が第１コンテンツである場合、第２話以降が未だ放送されていない間は、当該第２話以降の記録開始情報は有効なので、第１話から第１２話までのすべての回の記録が可能である。これにより、連続テレビドラマ等のシリーズもののすべての回の収録などが簡単に行えることになる。
【０３０２】
また、最後の第１２話が未だ放送されていない間は、少なくとも最後の第１２話の記録開始情報は、有効なので、少なくとも第１２話の記録が可能である。なお、第１話から第１２話までのすべての回が放送された後でも、少なくとも第１コンテンツである第１話は情報記録媒体に予め記録されているので、特許文献１の情報記録媒体のように予約情報のみが記録された不要な情報記録媒体のみが残ってしまうことはない。
【０３０３】
ここで、前記第１コンテンツ及び前記関連コンテンツの例としては、複数の互いに関連するコンテンツであると共に、回を追って公表されるコンテンツ又は１回分ずつを逐次公表して完成するコンテンツが例示できる。
【０３０４】
例えば、回を追って公表されるコンテンツの例としては、数年間ほぼ毎日継続している人気テレビ放送番組などが該当する。１回分ずつを逐次公表して完成するコンテンツの例としては、連続テレビドラマなどの第１話から最終話までが該当する。
【０３０５】
なお、前記第１コンテンツ及び前記関連コンテンツのその他の例としては、１作目の映画及び当該１作目が好評を博した場合に作成される２作目の映画、毎日、毎週、毎月、若しくは毎年定期的に公表されるコンテンツ、一のアーティストのシングル及びアルバム類、文書データではあるが、夏目漱石全集など、１作目のアプリケーションソフト及び当該１作目が好評を博した場合に作成される２作目のアプリケーションソフト、特定の人同士がやりとりするメール及びチャットなどが例示できる。
【０３０６】
また、前記記録開始情報は、前記第２情報記録領域に前記関連コンテンツを予約記録させるための予約情報であっても良い。例えば、コンテンツが所定期間に放送される放送番組である場合について説明すると、番組名、放送チャンネル（周波数情報）、放送日、放送開始時間、放送終了時間などの各種情報が予約情報に該当する。
【０３０７】
なお、情報記録媒体の製造時に第２話以降の放送番組（関連コンテンツ）の予約情報（記録開始情報）を記録しておけば、ユーザが何らかの手段で第２話以降の放送番組の予約情報を情報記録媒体に記録する必要が無い。
【０３０８】
また、前記記録開始情報は、前記第２情報記録領域に前記関連コンテンツをダウンロード記録させるためのダウンロード情報であっても良い。例えば、コンテンツのデータ形式などを含むコンテンツに関するプロトコル、コンテンツの所在を示すＵＲＬ（Uniform Resource Locator）などの各種情報がダウンロード情報に該当する。
【０３０９】
なお、「コンテンツに関するプロトコル」とは、再生方法、データ形式、データ圧縮方式及び通信プロトコルなどのコンテンツに関する規約のことである。例えば、再生方法の規約としては、ビットレート情報の規格などが例示できる。
【０３１０】
また、コンテンツのデータ形式及びデータ圧縮方式の規約としては、音楽に関するＡＡＣ（Advanced Audio Coding）、ＷＡＶ（Ｗｉｎｄｏｗｓの音声データの標準的なファイル形式。ＷＡＶＥファイルやＷＡＶＥサウンドファイルとも呼ばれる。）、及びＭＰ３（MPEG-1 Audio Layer 3）などが例示できる。
【０３１１】
また、その他、コンテンツのデータ形式及びデータ圧縮方式の規約としては、映像に関するＦｌａｓｈ（マクロメディアが販売しているＷｅｂ用のアニメーション作成ソフト）、ＭＰＥＧ４（MPEG-1 Audio Layer 4）、及びＭＰＥＧ２（ＩＴＵ−Ｔ「国際電気通信連合電気通信標準化部門」とＩＳＯ「国際標準規格」によって標準技術として勧告された、動画や音声を圧縮・伸張する規格。現在ＭＰＥＧ方式には、ビデオＣＤなどのメディアに使用されるＭＰＥＧ１、ＤＶＤや放送メディアに使用されるＭＰＥＧ２、ネットワーク配信、携帯端末向けのＭＰＥＧ４などがある。）などが例示できる。
【０３１２】
さらに、通信方式に関する規約（通信プロトコル）としては、Ｂｌｕｅｔｏｏｔｈ（登録商標）、Ｆｅｌｉｃａ、ＰＬＣ（power line communication）、ＷｉｒｅｌｅｓｓＬＡＮ（無線ＬＡＮ：ＷＬＡＮ）、ＩｒＤＡ（赤外線無線）、ＩｒＳＳ（赤外線無線）、及びＷＣＤＭＡ（通信網）などが例示できる。
【０３１３】
一方、本発明の情報記録再生装置は、前記又は以下で説明する情報記録媒体の前記第３記録情報記録領域に記録されている前記記録開始情報に基づいて、前記関連コンテンツを当該情報記録媒体の第２情報記録領域に記録しても良い。
【０３１４】
また、本発明の情報記録再生装置の制御方法は、複数の情報記録領域が割り当てられた、単層又は複数の、少なくとも情報を読み出すことが可能な記録層を備えており、前記複数の情報記録領域は、少なくとも第１情報記録領域、第２情報記録領域及び第３情報記録領域を含んでおり、前記第１情報記録領域には、少なくとも第１コンテンツが予め記録されており、前記第２情報記録領域は、前記第１コンテンツに関連する関連コンテンツを記録することが可能な情報記録領域であり、前記第３情報記録領域には、前記関連コンテンツの前記第２情報記録領域への記録を開始させるための記録開始情報が予め記録されている情報記録媒体が装填された情報記録再生装置の制御方法であって、前記第３情報記録領域に記録されている前記記録開始情報に基づいて、前記関連コンテンツを当該情報記録媒体の第２情報記録領域に記録しても良い。
【０３１５】
前記構成によれば、上述した例において連続テレビドラマ等（コンテンツ）の予約記録（ダウンロード記録）が面倒であれば、第２話の放送開始前に本発明の情報記録媒体を、当該情報記録媒体に対応した上記構成の情報記録再生装置（以下、単に「情報記録再生装置」という）に装填しておくだけで、自動的に第１話から第１２話までが収録された情報記録媒体を作成することが可能となる。
【０３１６】
以上より、連続テレビドラマなどの互いに関連する複数のコンテンツの予約記録やダウンロードを簡単に管理することができる。
【０３１７】
また、本発明の情報記録媒体は、前記構成に加えて、前記第３情報記録領域には、前記ダウンロード記録の実行を許可するダウンロード許可情報が予め記録されていても良い。
【０３１８】
前記構成によれば、ダウンロード許可情報を知らないユーザの操作によるコンテンツのダウンロードを防止できるので、セキュリティー対策となる。
【０３１９】
「ダウンロード許可情報」の例としては、ダウンロードを許可するダウンロード許可キー（暗号鍵）や、コンテンツの使用許諾契約に関する情報などが列挙できる。
【０３２０】
また、本発明の情報記録媒体は、前記構成に加えて、前記第３情報記録領域には、前記第１コンテンツ及び前記関連コンテンツの単位時間当たりの伝送データ量を示す伝送速度情報が予め記録されていることが好ましい。
【０３２１】
ここで、伝送速度情報の例としては、ビットレートやフレームレートなどが該当する。
【０３２２】
前記構成によれば、第２情報記録領域の記録容量の許容範囲内でより高品質のコンテンツの記録が可能となる。
【０３２３】
また、本発明の情報記録媒体は、前記構成に加えて、基板上に、前記複数の記録層と、前記複数の記録層の各々を分離する中間層と、前記基板から最も遠い位置に設けられた透光層とを有し、前記複数の記録層は、再生光によって情報を読み出すことが可能となっており、前記複数の記録層のうち、少なくとも１層が情報を読み出すことのみ可能な層であり、その他の記録層のうち少なくとも１層が情報を記録可能な層であり、前記第１情報記録領域及び前記第３情報記録領域は、前記情報を読み出すことのみ可能な層に割り当てられ、前記第２情報記録領域は、前記情報を記録可能な層に割り当てられていても良い。
【０３２４】
ここで、まず、本発明の情報記録媒体の具体的な構造について説明する。
【０３２５】
近年、多層光情報記録媒体においては、情報の書き換え可能な記録層以外に、様々なコンテンツが記録されている記録層で、かつ再生のみ可能な再生専用の記録層又は追記録可能な記録層を追加して記録容量を向上させた光情報記録媒体（以降、ハイブリッド光情報記録媒体）が求められている。なお、以降、上記書き換え可能な記録層をＲＥ（RE-writable）層と呼び、上記再生専用の情報記録層をＲＯＭ（Read Only Memory）層と呼び、上記追記録可能な記録層は、以降Ｒ（Recordable）層と呼ぶ。
【０３２６】
本発明に係る情報記録媒体は、いわゆるハイブリッド光情報記録媒体であり、前記複数の記録層のうち、少なくとも１層の記録層が情報の読みだすことのみ可能な層（再生専用の記録層：以下、「ＲＯＭ層」という）であり、その他の記録層のうち少なくとも１層が、情報を記録可能な層であり、前記基板から最も遠い位置には、透光層が設けられている構造である。
【０３２７】
ここで、「情報を記録可能な層」には、追記録のみ可能な層（追記録可能な層：以下、「Ｒ層」）と書き換え可能な層（以下、「ＲＥ層」という）とが含まれる。
【０３２８】
なお、ここで、追記録のみ可能とは、情報読み出しは可能であり、記録において、追記録のみ可能であることを指す。
【０３２９】
なお、中間層の厚さは、各記録層を分離でき、層間クロストークが問題にならない適度の厚さであれば良い。なお、層間クロストークとは、再生中の記録層以外の記録層からのノイズを指す。また、中間層は、多層構造であっても良い。
【０３３０】
また、透光層の材料は、再生光の波長において透過率が高いものであればどのような材料を用いても良い。
【０３３１】
上記のような構造を有する本発明の情報記録媒体においては、前記第１情報記録領域及び前記第３情報記録領域は、前記情報を読み出すことのみ可能な層に割り当てられ、前記第２情報記録領域は、前記情報を記録可能な層に割り当てられていることが好ましい。
【０３３２】
なぜなら、第２情報記録領域は、前記関連コンテンツを記録する必要があるため、前記情報を記録可能な層に割り当てる必要がある。
【０３３３】
また、前記第１情報記録領域を、前記情報を読み出すことのみ可能な層に割り当てることにより、前記第１コンテンツに対して、間違えて別のデータを上書きしてしまうという誤操作を防止することができる。
【０３３４】
また、前記第３情報記録領域は、前記情報を読み出すことのみ可能な層に割り当てることにより、前記記録開始情報に対して、間違えて別のデータを上書きしてしまうという誤操作を防止することができる。
【０３３５】
さらに、本発明の情報記録媒体の製造時に前記記録開始情報を記録できるため、ユーザが何らかの手段でコンテンツの記録開始情報を情報記録媒体に記録する必要が無く、またコンテンツの記録開始情報をＲＯＭ層の第３情報記録領域に記録するため、前記関連コンテンツが記録されるＲ層又はＲＥ層の第２情報記録領域の記録可能領域が削られることも無い。
【０３３６】
ＲＯＭ層の例としては、情報がエンボスプリピット列を用いて記録されている、又は情報がレーザを用いて記録されている場合が列挙できる。
【０３３７】
これにより、メーカ側から見れば、本発明の情報記録媒体の製造時に、前記第１コンテンツ及び前記記録開始情報などの変更が容易に変更できるというメリットがある。
【０３３８】
ここで、上述したように、特許文献１に記載の情報記録媒体では、予約情報により記録される放送番組が、ユーザの期待に沿わない内容であったとしても、当該予約情報の予約記録に使用される記録領域を他のコンテンツの記録に転用できない構成となっているという問題点がある。よって、例えば、当該予約情報に対応する放送番組の放送後には、当該予約情報のみが記録された情報記録媒体となり、完全にユーザにとって、不要な情報記録媒体となってしまうという問題点がある。
【０３３９】
このような、問題点を解決するため、本発明の情報記録媒体は、前記構成に加えて、前記第２情報記録領域には、前記記録開始情報に対応する前記関連コンテンツの前記第２情報記録領域への記録の取り消しを決定するための無効化情報を記録することが可能な領域が設けられていても良い。
【０３４０】
ここで、「無効化情報」とは、記録開始情報に対応する関連コンテンツの第２情報記録領域への記録の取り消しを決定するための情報である。例えば、「無効化情報」が存在している場合には、記録開始情報に対応する関連コンテンツの第２情報記録領域への記録の実行が行なわれないように情報記録再生装置を構成する。
【０３４１】
一方、本発明の情報記録再生装置は、前記又は下記の情報記録媒体における前記第２情報記録領域に前記無効化情報が記録されている場合に、当該無効化情報に対応する前記記録開始情報が無効であると判断し、当該記録開始情報に対応する前記関連コンテンツの前記第２情報記録領域への記録を取り消しても良い。
【０３４２】
また、本発明の情報記録再生装置は、前記構成に加えて、前記関連コンテンツの前記第２情報記録領域への記録を取り消す指示を入力するための入力手段を備えており、前記入力手段を介して前記記録を取り消す指示が入力された場合に、前記第２情報記録領域に、前記無効化情報を記録しても良い。
【０３４３】
以上の情報記録媒体及び情報記録再生装置の構成によれば、記録開始情報により記録されるコンテンツが、ユーザの期待に沿わない内容であった場合、前記無効化情報を本発明の情報記録媒体に記録することにより、ユーザの期待に沿わない内容のコンテンツが、情報記録媒体に記録されることを防止することができ、ユーザの利便性を向上させることができる。
【０３４４】
また、本発明の情報記録再生装置は、前記構成に加えて、前記情報記録媒体が複数存在する場合に、前記情報記録媒体の前記第３情報記録領域に記録された前記記録開始情報及び、当該記録開始情報と当該情報記録媒体との対応関係を示す対応関係情報を記録する記録部を備えており、前記情報記録媒体の前記第２情報記録領域に前記無効化情報が記録されている場合に、前記対応関係情報に基づいて、当該情報記録媒体に対応する前記記録開始情報を、前記記録部から消去しても良い。
【０３４５】
上記構成によれば、前記無効化情報が記録された情報記録媒体に対応する前記記録開始情報が、記録部から消去されるので、間違って、ユーザの期待に沿わない内容のコンテンツが情報記録媒体に記録されてしまうという誤操作を防止することができる。
【０３４６】
また、前記構成により、本発明の情報記録再生装置は、無効化情報が記録された情報記録媒体に記録されている前記ユーザの期待に沿わない内容のコンテンツに対応する記録開始情報を認識しないようにできる（無効と判断できる）ため、当該情報記録再生装置に該コンテンツが記録される予定の第２情報記録領域を、通常の記録が可能な記録領域と認識させることができる。
【０３４７】
よって、当該記録開始情報に対応する第２情報記録領域を他のコンテンツの記録に転用することが可能となる。
【０３４８】
以上より、連続テレビドラマなどの互いに関連する複数のコンテンツの予約記録やダウンロードを簡単に管理することができる情報記録媒体及び情報記録再生装置を提供することができる。
【０３４９】
また、本発明の情報記録媒体は、前記構成に加えて、前記再生光が入射する側の表面と対向する側の表面に、前記第１コンテンツ及び前記関連コンテンツに関連する関連情報が予め表示されていても良い。
【０３５０】
また、本発明の情報記録媒体は、前記構成に加えて、前記関連情報は、前記対向する側の表面に貼り付けられた、剥離自在な貼り付け型ラベル上に表示されていても良い。
【０３５１】
前記構成によれば、前記関連情報を、本発明の情報記録媒体にあらかじめ表示しておけば、ユーザが情報記録媒体に記録されているコンテンツを識別するために、情報記録媒体に添付されているラベルやジャケット等に記録したコンテンツ名称を書き込む等の作業が必要でなくなる。なお、貼り付け型ラベルは剥離自在となっていることが好ましいが、この理由については、以下で説明する。
【０３５２】
また、本発明の情報記録媒体は、前記構成に加えて、前記対向する側の表面は、情報を直接書き込むことが可能な面となっていても良い。
【０３５３】
前記構成によれば、ユーザの好みの関連情報を書き込んだり、また、本発明の情報記録媒体を他のコンテンツの記録に転用したり、上述した貼り付け型ラベルが不要となった場合に、当該貼り付け型ラベルを剥離して、ユーザの好みの情報を直接書き込むことが可能となり、ユーザの利便性が向上する。
【０３５４】
また、本発明の情報記録プログラムは、前記情報記録媒体が装填される情報記録再生装置における処理をコンピュータに実行させるための情報記録プログラムであって、前記第３情報記録領域に記録されている前記記録開始情報に基づいて、前記関連コンテンツを当該情報記録媒体の第２情報記録領域に記録する処理をコンピュータに実行させるためのプログラムであっても良い。
【０３５５】
なお、本発明の情報記録媒体は、複数の情報記録領域が割り当てられた、単層又は複数の、少なくとも情報を読み出すことが可能な記録層を有する情報記録媒体であって、少なくとも第１コンテンツが予め記録されている第１情報記録領域と、前記第１コンテンツに関連する関連コンテンツを記録することが可能な第２情報記録領域と、前記関連コンテンツの前記第２情報記録領域への記録を開始させるための記録開始情報が予め記録された第３情報記録領域とを有していても良い。
【０３５６】
また、本発明の情報記録再生装置の制御方法は、複数の情報記録領域が割り当てられた、単層又は複数の、少なくとも情報を読み出すことが可能な記録層を有する情報記録媒体であって、少なくとも第１コンテンツが予め記録されている第１情報記録領域と、前記第１コンテンツに関連する関連コンテンツを記録することが可能な第２情報記録領域と、前記関連コンテンツの前記第２情報記録領域への記録を開始させるための記録開始情報が予め記録された第３情報記録領域とを有する情報記録媒体が装填された情報記録再生装置の制御方法であって、前記第３情報記録領域に記録されている前記記録開始情報に基づいて、前記関連コンテンツを当該情報記録媒体の第２情報記録領域に記録しても良い。
【０３５７】
また、本発明の情報記録プログラムは、複数の情報記録領域が割り当てられた、単層又は複数の、少なくとも情報を読み出すことが可能な記録層を有する情報記録媒体であって、少なくとも第１コンテンツが予め記録されている第１情報記録領域と、前記第１コンテンツに関連する関連コンテンツを記録することが可能な第２情報記録領域と、前記関連コンテンツの前記第２情報記録領域への記録を開始させるための記録開始情報が予め記録された第３情報記録領域とを有する情報記録媒体が装填される情報記録再生装置における処理をコンピュータに実行させるための情報記録プログラムであって、前記第３情報記録領域に記録されている前記記録開始情報に基づいて、前記関連コンテンツを当該情報記録媒体の第２情報記録領域に記録する処理をコンピュータに実行させるための情報記録プログラムであっても良い。
【０３５８】
なお、前記情報記録再生装置及びその方法における各手段、各機能、各処理、並びに、各ステップ及び各工程のそれぞれは、コンピュータによって実現してもよく、この場合には、コンピュータを各手段として動作させ、コンピュータに各機能を実現させ、若しくはコンピュータに各処理、各ステップ又は各工程を実行させることにより前記情報記録再生装置及びその方法を、コンピュータにて実現させる前記画像処理プログラム及びそれを記録したコンピュータ読み取り可能な記録媒体も、本発明の範疇に入る。
【０３５９】
以上より、連続テレビドラマなどの互いに関連する複数のコンテンツの自媒体への記録を簡単に管理することができる情報記録媒体、情報記録再生装置の制御方法、及び情報記録プログラムなどを提供することができるという効果を奏する。
【０３６０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３６１】
本発明は、コンパクトディスク−ＲＯＭ、ＭＯ、ＭＤ、デジタルビデオデイスク、コンパクトディスク−Ｒ、及びＢｌｕ−Ｒａｙ等の光ディスクを含む光情報記録媒体及び当該光情報記録媒体に対応する情報記録再生装置などに広く適用することができる。また、磁気を記録に用いる磁気記録媒体、光・熱を利用して磁気記録を行う光・熱アシスト磁気記録媒体及び当該磁気記録媒体に対応する情報記録再生装置などに広く適用することができる。
【符号の説明】
【０３６２】
１０    透光層
２０    第１情報記録層（情報を読み出すことのみ可能な層、記録層）
３０    中間層
４０    第２情報記録層（情報を記録可能な層、記録層）
５０    基板
６０    リードインエリア（第３情報記録層、情報を読み出すことのみ可能な層）
２００，２０１，２０２，４００    光情報記録媒体（情報記録媒体）
１００  再生システム（情報記録再生装置）
１０１  ディスク駆動モータ
１０２  光学ピックアップ
１０２ａ  対物レンズ
１０２ｂ  トラッキング駆動コイル
１０２ｃ  フォーカス駆動コイル
１０２ｄ  ハーフプリズム
１０２ｅ  コリメータレンズ
１０２ｆ  半導体レーザ発振器
１０２ｇ  光量検出器
１０２ｈ  集光レンズ
１０２ｉ  シリンドリカルレンズ
１０２ｊ  光電変換器
１０２ｊ１〜１０２ｊ４  フォトディテクタ
１０３  レーザ制御回路
１０４  差動増幅回路
１０５  フォーカス制御回路
１０６  トラッキング制御回路
１０７  位相差検出回路
１０８  フィードモータ制御回路
１０９  モータ制御回路
１１０  データ再生回路（データ再生制御手段）
１１１  フィードモータ
１１２  速度検出器
１１３ａ，１１３ｃ，１１３ｂ，１１３ｄ，１１３ｅ  加算回路
１１４ａ，１１４ｂ，１１４ｃ，１１４ｄ  増幅回路
１１５  制御部
１１６  メモリ（記録部）
１１７  タイマー
１１８  チューナー
１１９  データ記録回路（データ記録制御手段）
１２０  操作部（入力手段）
１２１  インターネット端末装置（端末装置）
１２２  インターネット
１２３  ウェブサーバ（情報中継装置、情報供給装置）
１００１，１００２  情報記録再生装置
１１５１  メモリ制御部（記録制御手段）
１１５２  日時確認部（日時確認手段）
１１５３  放送局選択部（放送局選択手段）
１１５４  媒体書き込み制御部（媒体書き込み制御手段）
１１５５  インターネット通信制御部（通信制御手段）
１１５６  無効化情報認識部（無効化情報認識手段）
１１５７  ディスク認識部（媒体認識手段）
【図１】
2009123289.tif 000004
【図２】
2009123289.tif 000005
【図３】
2009123289.tif 000006
【図４】
2009123289.tif 000007
【図５】
2009123289.tif 000008
【図６】
2009123289.tif 000009
【図７】
2009123289.tif 000010
【図８】
2009123289.tif 000011
【図９】
2009123289.tif 000012
【図１０】
2009123289.tif 000013
【図１１】
2009123289.tif 000014
【図１２】
2009123289.tif 000015
【図１３】
2009123289.tif 000016
【図１４】
2009123289.tif 000017
【図１５】
2009123289.tif 000018
【図１６】
2009123289.tif 000019
【図１７】
2009123289.tif 000020
【国際調査報告】
2009123289.tif 000021
2009123289.tif 000022
2009123289.tif 000023
2009123289.tif 000024